(57)【要約】【課題】画面作成者の労力を軽減しつつ、画像処理装置用に予め準備されている第１の系統の設定画面群とは異なる第２の系統の設定画面群を表示させることが可能な技術を提供する。【解決手段】第２の系統の設定画面群のうちの第１の設定画面（たとえば基本設定画面２００）の表示中に第２の設定画面（たとえば詳細設定画面４００）への遷移指令が受け付けられた場合、当該詳細設定画面４００における不完全表示要素を補完する補完情報（たとえば、設定領域６００の画像データ）が、第１の系統の設定画面群Ｇ１の表示用データに基づいて取得される。そして、取得された補完情報に基づく画像（抽出画像６５０）を基本設定画面２００に配置した合成画面が詳細設定画面４００として生成され、生成された詳細設定画面４００が表示部４０に表示される。【選択図】図６
2019014053.tif 000002
【特許請求の範囲】
【請求項１】
画像処理装置に関する２つの系統の設定画面群であって、前記画像処理装置に予め格納されている第１の系統の設定画面群であって他の系統の設定画面群に依拠せずに表示できるようにその各設定画面の表示用データが予め準備されている第１の系統の設定画面群と、前記第１の系統の設定画面群とは異なる系統の第２の系統の設定画面群との２つの系統の設定画面群のうち少なくとも前記第２の系統の設定画面群に関する表示を制御する表示制御装置であって、
前記第２の系統の設定画面群のうちの第１の設定画面であって、前記第２の系統の設定画面群以外の設定画面群に依拠せずに表示できるようにその表示用データが予め準備されている第１の設定画面の表示中において、前記第１の設定画面から前記第２の系統の設定画面群のうちの第２の設定画面への遷移指令であって、前記第２の系統の設定画面群以外の設定画面群に依拠せずには表示できない表示要素である不完全表示要素を有する第２の設定画面への遷移指令が受け付けられた場合、前記不完全表示要素を補完する補完情報を前記第１の系統の設定画面群の表示用データに基づいて取得する取得手段と、
前記遷移指令が受け付けられた場合、前記取得手段によって取得された前記補完情報に基づく画像を前記第１の設定画面に配置した合成画面を、前記第２の設定画面として生成する生成手段と、
前記生成手段によって生成された前記第２の設定画面を表示手段に表示させる表示制御手段と、
を備えることを特徴とする表示制御装置。
【請求項２】
請求項１に記載の表示制御装置において、
前記生成手段は、前記遷移指令が受け付けられた場合、前記取得手段によって取得された前記補完情報に基づく画像を前記第１の設定画面内の一部の領域に配置した前記合成画面であって、前記第１の設定画面にて前記一部の領域以外の領域に存在する操作ボタン群と同じ操作ボタン群を前記第１の設定画面での配置位置と同じ位置に配置した前記合成画面を、前記第２の設定画面として生成することを特徴とする表示制御装置。
【請求項３】
請求項１または請求項２に記載の表示制御装置において、
前記取得手段は、前記第１の系統の設定画面群のうちの一の設定画面であって前記第２の設定画面に表示すべき設定項目に対応する所定の設定項目を有する一の設定画面の表示用データに基づいて前記補完情報を取得することを特徴とする表示制御装置。
【請求項４】
請求項３に記載の表示制御装置において、
前記取得手段は、前記一の設定画面内における指定領域であって前記所定の設定項目に関する設定用表示要素を含むように指定された指定領域の画像データを、前記補完情報として取得し、
前記生成手段は、前記指定領域の画像である部分画像を前記第１の設定画面内の特定の領域に配置した前記合成画面を、前記第２の設定画面として生成することを特徴とする表示制御装置。
【請求項５】
請求項４に記載の表示制御装置において、
前記取得手段は、前記所定の設定項目が、２つの設定値候補のいずれかをユーザの切替操作に応じて択一的に設定可能な二者択一式設定項目である場合は、前記一の設定画面における前記所定の設定項目に関する文字列情報を前記補完情報として取得し、
前記生成手段は、前記文字列情報が前記補完情報として取得される場合は、前記文字列情報に基づく文字画像を生成するとともに、生成された前記文字画像と前記切替操作を受け付けるユーザインターフェース部品とを前記第１の設定画面内の前記特定の領域に配置した前記合成画面を、前記第２の設定画面として生成することを特徴とする表示制御装置。
【請求項６】
請求項４に記載の表示制御装置において、
前記第２の設定画面内の前記部分画像におけるユーザの押下位置に関する座標情報を前記画像処理装置に通知する通知手段、
をさらに備えることを特徴とする表示制御装置。
【請求項７】
請求項４に記載の表示制御装置において、
前記部分画像は、前記所定の設定項目に関する設定内容の候補群である複数の選択肢を有し、
前記複数の選択肢のそれぞれには、識別情報が割り当てられており、
前記表示制御装置は、
前記複数の選択肢のうち前記第２の設定画面においてユーザによって選択された選択肢に割り当てられている識別情報を前記画像処理装置に通知する通知手段、
をさらに備えることを特徴とする表示制御装置。
【請求項８】
請求項４に記載の表示制御装置において、
前記生成手段は、前記部分画像の所定方向における画素サイズが前記特定の領域の前記所定方向における画素サイズよりも大きい場合、前記部分画像を前記特定の領域内にて前記所定方向にスクロールさせるスクロールバーを有する前記合成画面を、前記第２の設定画面として生成することを特徴とする表示制御装置。
【請求項９】
請求項８に記載の表示制御装置において、
前記指定領域を前記一の設定画面から抽出して前記部分画像を生成する抽出手段、
をさらに備え、
前記抽出手段は、前記所定の設定項目に関する設定内容の候補群である複数の選択肢が前記指定領域において縦方向と横方向との双方向に配列されている場合、前記複数の選択肢を前記双方向のうちの一方向である前記所定方向のみに配列した配置レイアウトに変更して、前記部分画像を生成することを特徴とする表示制御装置。
【請求項１０】
請求項４に記載の表示制御装置において、
前記指定領域を前記一の設定画面から抽出して前記部分画像を生成する抽出手段、
をさらに備えることを特徴とする表示制御装置。
【請求項１１】
請求項１０に記載の表示制御装置において、
前記抽出手段は、前記遷移指令が受け付けられた場合、
前記第１の設定画面における前記特定の領域の画素数サイズを取得するとともに、
前記一の設定画面から抽出された前記指定領域の画素数サイズを前記特定の領域の画素数サイズに合わせるように前記指定領域を変倍して、前記部分画像を生成することを特徴とする表示制御装置。
【請求項１２】
請求項１０に記載の表示制御装置において、
前記抽出手段は、前記遷移指令が受け付けられた場合、
前記第１の設定画面内の文字サイズを取得するとともに、
前記一の設定画面から抽出された前記指定領域内の文字が前記第１の設定画面内の文字の文字サイズと同じ文字サイズを有するように前記指定領域を変倍して、前記部分画像を生成することを特徴とする表示制御装置。
【請求項１３】
請求項１０に記載の表示制御装置において、
前記抽出手段は、
前記第２の系統の設定画面群を用いてユーザによって設定された設定値を取得するとともに、
前記所定の設定項目に関する設定内容の候補群である複数の選択肢の中に、前記設定値と組み合わせて設定することが禁止されている選択肢である組合せ禁止選択肢が存在する場合、前記組合せ禁止選択肢の表示態様を選択不可状態を示す表示態様に変更して、前記部分画像を生成することを特徴とする表示制御装置。
【請求項１４】
請求項１から請求項１３のいずれかに記載の表示制御装置において、
前記表示制御装置は、画像処理デバイスとサーバデバイスと前記表示手段とを備えて構成されており、
前記第１の系統の設定画面群は、前記画像処理デバイスにて管理されており、
前記第２の系統の設定画面群は、前記サーバデバイスにて管理されている設定画面群であって前記サーバデバイスを用いて前記画像処理デバイスに関する設定操作を行うための設定画面群であることを特徴とする表示制御装置。
【請求項１５】
請求項１から請求項１３のいずれかに記載の表示制御装置において、
前記表示制御装置は、前記画像処理装置であり、
前記表示手段は、前記表示制御装置に設けられており、
前記第１の系統の設定画面群は、全ユーザに共通の設定画面群であり、
前記第２の系統の設定画面群は、特定のユーザ向けにカスタマイズされた設定画面群であることを特徴とする表示制御装置。
【請求項１６】
請求項１から請求項１３のいずれかに記載の表示制御装置において、
前記表示制御装置は、前記画像処理装置であり、
前記表示手段は、前記表示制御装置とは異なる情報処理装置に設けられており、
前記第１の系統の設定画面群は、前記画像処理装置の操作パネルにおいて表示される設定画面群であり、
前記第２の系統の設定画面群は、前記画像処理装置からのウエブページ情報に基づき前記情報処理装置のウエブブラウザ機能を用いて前記情報処理装置にて表示される設定画面群であることを特徴とする表示制御装置。
【請求項１７】
請求項１から請求項８のいずれかに記載の表示制御装置において、
前記表示制御装置は、前記画像処理装置とは異なる情報処理装置であり、
前記表示手段は、前記情報処理装置に設けられており、
前記第１の系統の設定画面群は、前記画像処理装置の操作パネルにおいて表示される設定画面群であり、
前記第２の系統の設定画面群は、前記情報処理装置にて実行可能なアプリケーションソフトウエアプログラムであって前記画像処理装置に関する設定操作を行うことが可能なアプリケーションソフトウエアプログラムにおいて表示される設定画面群であることを特徴とする表示制御装置。
【請求項１８】
画像処理装置に関する２つの系統の設定画面群であって、前記画像処理装置に予め格納されている第１の系統の設定画面群であって他の系統の設定画面群に依拠せずに表示できるようにその各設定画面の表示用データが予め準備されている第１の系統の設定画面群と、前記第１の系統の設定画面群とは異なる系統の第２の系統の設定画面群との２つの系統の設定画面群のうち少なくとも前記第２の系統の設定画面群に関する表示を制御する表示制御装置に内蔵されたコンピュータに、
ａ）前記第２の系統の設定画面群のうちの第１の設定画面であって、前記第２の系統の設定画面群以外の設定画面群に依拠せずに表示できるようにその表示用データが予め準備されている第１の設定画面を表示手段に表示させるステップと、
ｂ）前記第１の設定画面の表示中において、前記第１の設定画面から前記第２の系統の設定画面群のうちの第２の設定画面への遷移指令であって、前記第２の系統の設定画面群以外の設定画面群に依拠せずには表示できない表示要素である不完全表示要素を有する第２の設定画面への遷移指令が受け付けられた場合、前記不完全表示要素を補完する補完情報を前記第１の系統の設定画面群の表示用データに基づいて取得するステップと、
ｃ）前記遷移指令が受け付けられた場合、前記ステップｂ）にて取得された前記補完情報に基づく画像を前記第１の設定画面に配置した合成画面を、前記第２の設定画面として生成するステップと、
ｄ）前記ステップｃ）にて生成された前記第２の設定画面を前記表示手段に表示させるステップと、
を実行させるためのプログラム。
【請求項１９】
表示システムであって、
画像処理装置に関する２つの系統の設定画面群のうち、前記画像処理装置に予め格納されている第１の系統の設定画面群であって他の系統の設定画面群に依拠せずに表示できるようにその各設定画面の表示用データが予め準備されている第１の系統の設定画面群の表示用データを格納する格納手段と、
前記２つの系統の設定画面群のうち前記第１の系統の設定画面群とは異なる系統の第２の系統の設定画面群における第１の設定画面であって前記第２の系統の設定画面群以外の設定画面群に依拠せずに表示できるようにその表示用データが予め準備されている第１の設定画面を表示する表示手段と、
前記第１の設定画面の表示中において、前記第１の設定画面から前記第２の系統の設定画面群のうちの第２の設定画面への遷移指令であって、前記第２の系統の設定画面群以外の設定画面群に依拠せずには表示できない表示要素である不完全表示要素を有する第２の設定画面への遷移指令が受け付けられた場合、前記不完全表示要素を補完する補完情報を前記第１の系統の設定画面群の表示用データに基づいて取得する取得手段と、
前記遷移指令が受け付けられた場合、前記取得手段によって取得された前記補完情報に基づく画像を前記第１の設定画面に配置した合成画面を、前記第２の設定画面として生成する生成手段と、
前記生成手段によって生成された前記第２の設定画面を前記表示手段に表示させる表示制御手段と、
を備えることを特徴とする表示システム。
【請求項２０】
請求項１９に記載の表示システムにおいて、
前記格納手段と前記表示手段と前記取得手段と前記生成手段と前記表示制御手段とは、前記画像処理装置に設けられており、
前記取得手段は、前記画像処理装置の前記格納手段に格納されている前記第１の系統の設定画面群の表示データに基づき前記補完情報を取得することを特徴とする表示システム。
【請求項２１】
請求項１９に記載の表示システムにおいて、
前記格納手段と前記取得手段と前記生成手段と前記表示制御手段とは、前記画像処理装置に設けられており、
前記表示手段は、前記画像処理装置とは異なる情報処理装置に設けられており、
前記画像処理装置の前記表示制御手段は、前記生成手段によって生成された前記第２の設定画面を前記情報処理装置の前記表示手段に表示させることを特徴とする表示システム。
【請求項２２】
請求項１９に記載の表示システムにおいて、
前記格納手段は、前記画像処理装置に設けられており、
前記表示手段と前記取得手段と前記生成手段と前記表示制御手段とは、前記画像処理装置とは異なる情報処理装置に設けられており、
前記情報処理装置の前記取得手段は、前記補完情報を前記画像処理装置から取得することを特徴とする表示システム。
【発明の詳細な説明】
【技術分野】
【０００１】
本発明は、ＭＦＰ（マルチ・ファンクション・ペリフェラル（Multi-Functional Peripheral））などの画像処理装置に関する設定画面の表示制御を行う表示制御装置、およびそれに関連する技術に関する。
【背景技術】
【０００２】
一般に、画像処理装置では、当該画像処理装置に予め格納されている設定画面群を用いて各種の設定が行われる（特許文献１等参照）。
【先行技術文献】
【特許文献】
【０００３】
【特許文献１】特開２００８−２２４９７７号公報
【発明の概要】
【発明が解決しようとする課題】
【０００４】
ところで、画像処理装置に予め準備されている設定画面群（旧来の設定画面群）（第１の系統の設定画面群とも称する）とは異なる系統の設定画面群（第２の系統の設定画面群とも称する）を用いて、画像処理装置に関する設定が行われることがある。
【０００５】
たとえば、画像処理装置において、第１の系統の設定画面群のみならず、当該第２の系統の設定画面群をも用いて、画像処理装置に関する設定が行われることがある。より詳細には、画像処理装置の操作パネルにおいて、全ユーザに共通の設定画面群（デフォルトの設定画面群）が第１の系統の設定画面群として用いられ、ユーザごとにカスタマイズされた設定画面群（カスタマイズ画面群）が第２の系統の設定画面群として用いられることがある。
【０００６】
あるいは、画像処理装置とは異なる情報処理装置において、第１の系統の設定画面群ではなく、当該第２の系統の設定画面群のみを用いて画像処理装置に関する設定が行われることがある。より詳細には、パーソナルコンピュータの表示部において、画像処理装置の操作パネルに表示される設定画面群とは異なる設定画面群が第２の系統の設定画面群として表示され、当該第２の系統の設定画面群を用いて画像処理装置の設定操作が行われることがある。
【０００７】
ただし、当該第２の系統の設定画面群は、必ずしも全ての設定操作に関する全ての設定画面を有しているとは限らない。換言すれば、当該第２の系統の設定画面群を用いて画像処理装置に関する全ての設定を行うことができるとは限らない。たとえば、画像処理装置の一部の設定に関する設定画面（第１の設定画面）は当該第２の系統の設定画面群に存在するものの、他の設定に関する設定画面（第２の設定画面）が当該第２の系統の設定画面群には存在しないこともある。この場合、ユーザは、当該第２の系統の設定画面群を用いて当該他の設定を行うことができない。
【０００８】
このような事態を回避するため、第２の系統の設定画面群の表示用データのみを用いて（他の設定画面群に依拠せずに）当該第２の設定画面を表示できるように（端的に言えば、自己完結的に）当該第２の設定画面の表示用データを準備すること、が考えられる。
【０００９】
しかしながら、当該第２の設定画面の表示用データを自己完結的に準備するためには、画面作成者は、当該第２の設定画面に含まれる全ての表示要素のそれぞれについて、形状、大きさ（画素サイズ）、配置位置およびその内部に表示すべき文字等を全て指定することを要する。第２の系統の設定画面群における第２の設定画面の表示用データを自己完結的に準備することは、画面作成者にとって大きな労力を要し、効率的ではない。
【００１０】
そこで、この発明は、画面作成者の労力を軽減しつつ、画像処理装置用に予め準備されている第１の系統の設定画面群とは異なる第２の系統の設定画面群を表示させることが可能な技術を提供することを課題とする。
【課題を解決するための手段】
【００１１】
上記課題を解決すべく、請求項１の発明は、画像処理装置に関する２つの系統の設定画面群であって、前記画像処理装置に予め格納されている第１の系統の設定画面群であって他の系統の設定画面群に依拠せずに表示できるようにその各設定画面の表示用データが予め準備されている第１の系統の設定画面群と、前記第１の系統の設定画面群とは異なる系統の第２の系統の設定画面群との２つの系統の設定画面群のうち少なくとも前記第２の系統の設定画面群に関する表示を制御する表示制御装置であって、前記第２の系統の設定画面群のうちの第１の設定画面であって、前記第２の系統の設定画面群以外の設定画面群に依拠せずに表示できるようにその表示用データが予め準備されている第１の設定画面の表示中において、前記第１の設定画面から前記第２の系統の設定画面群のうちの第２の設定画面への遷移指令であって、前記第２の系統の設定画面群以外の設定画面群に依拠せずには表示できない表示要素である不完全表示要素を有する第２の設定画面への遷移指令が受け付けられた場合、前記不完全表示要素を補完する補完情報を前記第１の系統の設定画面群の表示用データに基づいて取得する取得手段と、前記遷移指令が受け付けられた場合、前記取得手段によって取得された前記補完情報に基づく画像を前記第１の設定画面に配置した合成画面を、前記第２の設定画面として生成する生成手段と、前記生成手段によって生成された前記第２の設定画面を表示手段に表示させる表示制御手段と、を備えることを特徴とする。
【００１２】
請求項２の発明は、請求項１の発明に係る表示制御装置において、前記生成手段は、前記遷移指令が受け付けられた場合、前記取得手段によって取得された前記補完情報に基づく画像を前記第１の設定画面内の一部の領域に配置した前記合成画面であって、前記第１の設定画面にて前記一部の領域以外の領域に存在する操作ボタン群と同じ操作ボタン群を前記第１の設定画面での配置位置と同じ位置に配置した前記合成画面を、前記第２の設定画面として生成することを特徴とする。
【００１３】
請求項３の発明は、請求項１または請求項２の発明に係る表示制御装置において、前記取得手段は、前記第１の系統の設定画面群のうちの一の設定画面であって前記第２の設定画面に表示すべき設定項目に対応する所定の設定項目を有する一の設定画面の表示用データに基づいて前記補完情報を取得することを特徴とする。
【００１４】
請求項４の発明は、請求項３の発明に係る表示制御装置において、前記取得手段は、前記一の設定画面内における指定領域であって前記所定の設定項目に関する設定用表示要素を含むように指定された指定領域の画像データを、前記補完情報として取得し、前記生成手段は、前記指定領域の画像である部分画像を前記第１の設定画面内の特定の領域に配置した前記合成画面を、前記第２の設定画面として生成することを特徴とする。
【００１５】
請求項５の発明は、請求項４の発明に係る表示制御装置において、前記取得手段は、前記所定の設定項目が、２つの設定値候補のいずれかをユーザの切替操作に応じて択一的に設定可能な二者択一式設定項目である場合は、前記一の設定画面における前記所定の設定項目に関する文字列情報を前記補完情報として取得し、前記生成手段は、前記文字列情報が前記補完情報として取得される場合は、前記文字列情報に基づく文字画像を生成するとともに、生成された前記文字画像と前記切替操作を受け付けるユーザインターフェース部品とを前記第１の設定画面内の前記特定の領域に配置した前記合成画面を、前記第２の設定画面として生成することを特徴とする。
【００１６】
請求項６の発明は、請求項４の発明に係る表示制御装置において、前記第２の設定画面内の前記部分画像におけるユーザの押下位置に関する座標情報を前記画像処理装置に通知する通知手段、をさらに備えることを特徴とする。
【００１７】
請求項７の発明は、請求項４の発明に係る表示制御装置において、前記部分画像は、前記所定の設定項目に関する設定内容の候補群である複数の選択肢を有し、前記複数の選択肢のそれぞれには、識別情報が割り当てられており、前記表示制御装置は、前記複数の選択肢のうち前記第２の設定画面においてユーザによって選択された選択肢に割り当てられている識別情報を前記画像処理装置に通知する通知手段、をさらに備えることを特徴とする。
【００１８】
請求項８の発明は、請求項４の発明に係る表示制御装置において、前記生成手段は、前記部分画像の所定方向における画素サイズが前記特定の領域の前記所定方向における画素サイズよりも大きい場合、前記部分画像を前記特定の領域内にて前記所定方向にスクロールさせるスクロールバーを有する前記合成画面を、前記第２の設定画面として生成することを特徴とする。
【００１９】
請求項９の発明は、請求項８の発明に係る表示制御装置において、前記指定領域を前記一の設定画面から抽出して前記部分画像を生成する抽出手段、をさらに備え、前記抽出手段は、前記所定の設定項目に関する設定内容の候補群である複数の選択肢が前記指定領域において縦方向と横方向との双方向に配列されている場合、前記複数の選択肢を前記双方向のうちの一方向である前記所定方向のみに配列した配置レイアウトに変更して、前記部分画像を生成することを特徴とする。
【００２０】
請求項１０の発明は、請求項４の発明に係る表示制御装置において、前記指定領域を前記一の設定画面から抽出して前記部分画像を生成する抽出手段、をさらに備えることを特徴とする。
【００２１】
請求項１１の発明は、請求項１０の発明に係る表示制御装置において、前記抽出手段は、前記遷移指令が受け付けられた場合、前記第１の設定画面における前記特定の領域の画素数サイズを取得するとともに、前記一の設定画面から抽出された前記指定領域の画素数サイズを前記特定の領域の画素数サイズに合わせるように前記指定領域を変倍して、前記部分画像を生成することを特徴とする。
【００２２】
請求項１２の発明は、請求項１０の発明に係る表示制御装置において、前記抽出手段は、前記遷移指令が受け付けられた場合、前記第１の設定画面内の文字サイズを取得するとともに、前記一の設定画面から抽出された前記指定領域内の文字が前記第１の設定画面内の文字の文字サイズと同じ文字サイズを有するように前記指定領域を変倍して、前記部分画像を生成することを特徴とする。
【００２３】
請求項１３の発明は、請求項１０の発明に係る表示制御装置において、前記抽出手段は、前記第２の系統の設定画面群を用いてユーザによって設定された設定値を取得するとともに、前記所定の設定項目に関する設定内容の候補群である複数の選択肢の中に、前記設定値と組み合わせて設定することが禁止されている選択肢である組合せ禁止選択肢が存在する場合、前記組合せ禁止選択肢の表示態様を選択不可状態を示す表示態様に変更して、前記部分画像を生成することを特徴とする。
【００２４】
請求項１４の発明は、請求項１から請求項１３のいずれかの発明に係る表示制御装置において、前記表示制御装置は、画像処理デバイスとサーバデバイスと前記表示手段とを備えて構成されており、前記第１の系統の設定画面群は、前記画像処理デバイスにて管理されており、前記第２の系統の設定画面群は、前記サーバデバイスにて管理されている設定画面群であって前記サーバデバイスを用いて前記画像処理デバイスに関する設定操作を行うための設定画面群であることを特徴とする。
【００２５】
請求項１５の発明は、請求項１から請求項１３のいずれかの発明に係る表示制御装置において、前記表示制御装置は、前記画像処理装置であり、前記表示手段は、前記表示制御装置に設けられており、前記第１の系統の設定画面群は、全ユーザに共通の設定画面群であり、前記第２の系統の設定画面群は、特定のユーザ向けにカスタマイズされた設定画面群であることを特徴とする。
【００２６】
請求項１６の発明は、請求項１から請求項１３のいずれかの発明に係る表示制御装置において、前記表示制御装置は、前記画像処理装置であり、前記表示手段は、前記表示制御装置とは異なる情報処理装置に設けられており、前記第１の系統の設定画面群は、前記画像処理装置の操作パネルにおいて表示される設定画面群であり、前記第２の系統の設定画面群は、前記画像処理装置からのウエブページ情報に基づき前記情報処理装置のウエブブラウザ機能を用いて前記情報処理装置にて表示される設定画面群であることを特徴とする。
【００２７】
請求項１７の発明は、請求項１から請求項８のいずれかの発明に係る表示制御装置において、前記表示制御装置は、前記画像処理装置とは異なる情報処理装置であり、前記表示手段は、前記情報処理装置に設けられており、前記第１の系統の設定画面群は、前記画像処理装置の操作パネルにおいて表示される設定画面群であり、前記第２の系統の設定画面群は、前記情報処理装置にて実行可能なアプリケーションソフトウエアプログラムであって前記画像処理装置に関する設定操作を行うことが可能なアプリケーションソフトウエアプログラムにおいて表示される設定画面群であることを特徴とする。
【００２８】
請求項１８の発明は、画像処理装置に関する２つの系統の設定画面群であって、前記画像処理装置に予め格納されている第１の系統の設定画面群であって他の系統の設定画面群に依拠せずに表示できるようにその各設定画面の表示用データが予め準備されている第１の系統の設定画面群と、前記第１の系統の設定画面群とは異なる系統の第２の系統の設定画面群との２つの系統の設定画面群のうち少なくとも前記第２の系統の設定画面群に関する表示を制御する表示制御装置に内蔵されたコンピュータに、ａ）前記第２の系統の設定画面群のうちの第１の設定画面であって、前記第２の系統の設定画面群以外の設定画面群に依拠せずに表示できるようにその表示用データが予め準備されている第１の設定画面を表示手段に表示させるステップと、ｂ）前記第１の設定画面の表示中において、前記第１の設定画面から前記第２の系統の設定画面群のうちの第２の設定画面への遷移指令であって、前記第２の系統の設定画面群以外の設定画面群に依拠せずには表示できない表示要素である不完全表示要素を有する第２の設定画面への遷移指令が受け付けられた場合、前記不完全表示要素を補完する補完情報を前記第１の系統の設定画面群の表示用データに基づいて取得するステップと、ｃ）前記遷移指令が受け付けられた場合、前記ステップｂ）にて取得された前記補完情報に基づく画像を前記第１の設定画面に配置した合成画面を、前記第２の設定画面として生成するステップと、ｄ）前記ステップｃ）にて生成された前記第２の設定画面を前記表示手段に表示させるステップと、を実行させるためのプログラムであることを特徴とする。
【００２９】
請求項１９の発明は、表示システムであって、画像処理装置に関する２つの系統の設定画面群のうち、前記画像処理装置に予め格納されている第１の系統の設定画面群であって他の系統の設定画面群に依拠せずに表示できるようにその各設定画面の表示用データが予め準備されている第１の系統の設定画面群の表示用データを格納する格納手段と、前記２つの系統の設定画面群のうち前記第１の系統の設定画面群とは異なる系統の第２の系統の設定画面群における第１の設定画面であって前記第２の系統の設定画面群以外の設定画面群に依拠せずに表示できるようにその表示用データが予め準備されている第１の設定画面を表示する表示手段と、前記第１の設定画面の表示中において、前記第１の設定画面から前記第２の系統の設定画面群のうちの第２の設定画面への遷移指令であって、前記第２の系統の設定画面群以外の設定画面群に依拠せずには表示できない表示要素である不完全表示要素を有する第２の設定画面への遷移指令が受け付けられた場合、前記不完全表示要素を補完する補完情報を前記第１の系統の設定画面群の表示用データに基づいて取得する取得手段と、前記遷移指令が受け付けられた場合、前記取得手段によって取得された前記補完情報に基づく画像を前記第１の設定画面に配置した合成画面を、前記第２の設定画面として生成する生成手段と、前記生成手段によって生成された前記第２の設定画面を前記表示手段に表示させる表示制御手段と、を備えることを特徴とする。
【００３０】
請求項２０の発明は、請求項１９の発明に係る表示システムにおいて、前記格納手段と前記表示手段と前記取得手段と前記生成手段と前記表示制御手段とは、前記画像処理装置に設けられており、前記取得手段は、前記画像処理装置の前記格納手段に格納されている前記第１の系統の設定画面群の表示データに基づき前記補完情報を取得することを特徴とする。
【００３１】
請求項２１の発明は、請求項１９の発明に係る表示システムにおいて、前記格納手段と前記取得手段と前記生成手段と前記表示制御手段とは、前記画像処理装置に設けられており、前記表示手段は、前記画像処理装置とは異なる情報処理装置に設けられており、前記画像処理装置の前記表示制御手段は、前記生成手段によって生成された前記第２の設定画面を前記情報処理装置の前記表示手段に表示させることを特徴とする。
【００３２】
請求項２２の発明は、請求項１９の発明に係る表示システムにおいて、前記格納手段は、前記画像処理装置に設けられており、前記表示手段と前記取得手段と前記生成手段と前記表示制御手段とは、前記画像処理装置とは異なる情報処理装置に設けられており、前記情報処理装置の前記取得手段は、前記補完情報を前記画像処理装置から取得することを特徴とする。
【発明の効果】
【００３３】
請求項１から請求項２２に記載の発明によれば、第２の系統の設定画面群のうちの第１の設定画面の表示中に当該第２の系統の設定画面群のうちの第２の設定画面への遷移指令が受け付けられた場合、当該第２の設定画面における不完全表示要素を補完する補完情報が、第１の系統の設定画面群の表示用データに基づいて取得される。そして、取得された補完情報に基づく画像を当該第１の設定画面に配置した合成画面が、当該第２の設定画面として生成される。したがって、画面作成者の労力を軽減しつつ、画像処理装置用に予め準備されている第１の系統の設定画面群とは異なる第２の系統の設定画面群を表示させることが可能である。
【００３４】
特に、請求項２に記載の発明によれば、第１の設定画面の一部の領域以外の領域に存在する操作ボタン群と同じ操作ボタン群を当該第１の設定画面での配置位置と同じ位置に配置した合成画面が、第２の設定画面として生成される。したがって、第１の設定画面と第２の設定画面との相互間において統一感を持たせることが可能である。
【図面の簡単な説明】
【００３５】
【図１】ＭＦＰの外観を示す図である。
【図２】ＭＦＰの概略構成を示すブロック図である。
【図３】画像形成デバイスの機能ブロックを示す図である。
【図４】サーバデバイスの機能ブロックを示す図である。
【図５】２つの系統の設定画面群を示す概念図である。
【図６】詳細設定画面の生成等に関する概略動作を示す概念図である。
【図７】メニュー画面を示す図である。
【図８】スキャンジョブに関する基本設定画面を示す図である。
【図９】旧来の設定画面群の一の設定画面を示す図である。
【図１０】サーバデバイスの動作を示すフローチャートである。
【図１１】画像形成デバイスの動作を示すフローチャートである。
【図１２】旧来の設定画面群の一の設定画面における設定領域（指定領域）等を示す図である。
【図１３】詳細設定画面における合成領域等を示す図である。
【図１４】抽出画像の生成等に関する概念図である。
【図１５】スキャンジョブに関する詳細設定画面（合成画面）を示す図である。
【図１６】詳細設定画面における合成領域等を示す図である。
【図１７】抽出画像の生成等に関する概念図である。
【図１８】第２実施形態に係るＭＦＰの概略構成を示すブロック図である。
【図１９】第２実施形態に係る詳細設定画面の生成等に関する概略動作を示す概念図である。
【図２０】ＭＦＰ１０の動作を示すフローチャートである。
【図２１】抽出画像の取得に関するＭＦＰ１０の動作を示すフローチャートである。
【図２２】第３実施形態に係る表示システムを示す図である。
【図２３】情報処理装置（外部端末）の機能ブロックを示す図である。
【図２４】第３実施形態に係る詳細設定画面の生成等に関する概略動作を示す概念図である。
【図２５】プリントジョブに関する基本設定画面を示す図である。
【図２６】旧来の設定画面群の一の設定画面を示す図である。
【図２７】第３実施形態に係る詳細設定画面における合成領域等を示す図である。
【図２８】プリントジョブに関する詳細設定画面を示す図である。
【図２９】第４実施形態に係る情報処理装置（外部端末）の機能ブロックを示す図である。
【図３０】第４実施形態に係る詳細設定画面の生成等に関する概略動作を示す概念図である。
【図３１】第４実施形態に係るプリントジョブに関する基本設定画面を示す図である。
【図３２】第４実施形態に係る詳細設定画面における合成領域等を示す図である。
【図３３】第４実施形態に係るプリントジョブに関する詳細設定画面を示す図である。
【図３４】特定の選択肢が選択された状態の基本設定画面を示す図である。
【図３５】組合せ禁止選択肢の表示態様が、選択不可状態を示す表示態様に変更された詳細設定画面を示す図である。
【図３６】変形例に係る抽出画像の生成（配置レイアウトの変更）等に関する概念図である。
【図３７】変形例に係るスキャンジョブに関する詳細設定画面を示す図である。
【図３８】変形例に係るスキャンジョブに関する基本設定画面を示す図である。
【図３９】変形例に係る抽出画像の生成等に関する概念図である。
【図４０】変形例に係る詳細設定画面における合成領域等を示す図である。
【図４１】変形例に係る詳細設定画面を示す図である。
【図４２】旧来の設定画面群の一の設定画面を示す図である。
【図４３】変形例に係る詳細設定画面における合成領域等を示す図である。
【図４４】変形例に係る詳細設定画面を示す図である。
【図４５】変形例に係る画像形成デバイスの動作を示すフローチャートである。
【発明を実施するための形態】
【００３６】
以下、本発明の実施形態を図面に基づいて説明する。
【００３７】
＜１．第１実施形態＞
＜１−１．構成概要＞
図１は、ＭＦＰ（マルチ・ファンクション・ペリフェラル（Multi-Functional Peripheral））１０の外観を示す図である。ここでは、表示制御装置として、ＭＦＰ１０を例示する。なお、ＭＦＰ１０は、画像形成装置あるいは画像処理装置などとも称される。
【００３８】
図２は、ＭＦＰ１０の概略構成を示すブロック図である。
【００３９】
本願出願人は、独立して動作する複数のデバイス（たとえば、画像形成デバイス３０（旧来のＭＦＰ等）とサーバデバイス２０（いわゆるサーバコンピュータ装置）とを含む複数のデバイス）を１つのＭＦＰ１０内に設けることを案出した。複数のデバイスを統合する当該技術によれば、オフィス環境等における省スペース化の要請および／または管理容易化の要請等に応えることが可能である。なお、このＭＦＰ１０は、複数のデバイス２０，３０を備えて構成される表示システム１である、とも称される。
【００４０】
ここでは、サーバデバイス２０と画像形成デバイス３０とは、一の筐体に収容され、一体的に構成されている。なお、当該一の筐体には、所定の部材と当該所定の部材に対して開閉自在に設けられた部材（たとえば、ＭＦＰ１０の原稿台に設けられた回転軸に対して回動自在に設けられた原稿カバー等）とが含まれるものとする。
【００４１】
また、このＭＦＰ１０は、操作表示部４０（後述）をも備える。当該操作表示部４０は、後述するように、当該複数のデバイス２０，３０によって共用される。
【００４２】
＜１−２．２つの系統の設定画面群Ｇ１，Ｇ２＞
このＭＦＰ１０には、ＭＦＰ１０に関する２つの系統の設定画面群Ｇ１，Ｇ２（図５）が存在する。
【００４３】
＜設定画面群Ｇ１＞
設定画面群Ｇ１は、ＭＦＰ１０に予め格納されている設定画面群（旧来の設定画面群）である。当該設定画面群Ｇ１は、画像形成デバイス３０にて管理されており、画像形成デバイス３０の管理下において操作表示部４０のタッチパネル４５（図１）に表示される。
【００４４】
当該設定画面群Ｇ１の各設定画面５００の表示用データは、他の系統の設定画面群（詳細には設定画面群Ｇ２）に依拠せずに表示できるように（端的に言えば、自己完結的に）画像形成デバイス３０にて予め準備されている。換言すれば、設定画面群Ｇ１の各設定画面５００は、設定画面群Ｇ１の表示用データのみを用いて表示することが可能な設定画面である。
【００４５】
たとえば、設定画面群Ｇ１の「ファイル形式」設定画面５２０（５００）（図９）の表示用データが、自己完結的に画像形成デバイス３０にて準備されている。
【００４６】
当該「ファイル形式」設定画面５２０には、設定項目「ファイル形式」を設定するための設定用表示要素（設定用ボタン５２１〜５２７）、他の設定項目（「カラー」等）の設定画面へと遷移するためのボタン群（５２８等）およびスタートボタン５２９等が表示される。
【００４７】
「ファイル形式」設定画面５２０の表示用データにおいては、当該「ファイル形式」設定画面５２０にて表示すべき全ての表示要素（操作ボタン等）について、その表示要素を表示するための表示要素情報（形状、大きさ（画素サイズ）、配置位置およびその内部に表示すべき文字等）が画面作成者によって指定されている。詳細には、設定用ボタン５２１（「ＰＤＦ」）について、表示要素情報（形状、大きさ、配置位置およびその内部に表示すべき文字（「ＰＤＦ」）等）が指定されている。同様に、「ファイル形式」設定画面５２０における他の表示要素（設定用ボタン５２２〜５２７、ボタン５２８およびスタートボタン５２９等）についても、表示要素情報が指定されている。
【００４８】
また、設定画面群Ｇ１の他の設定画面５００（たとえば、後述するページ集約設定画面５３０（図２６））の表示用データもが、自己完結的に（他の系統の設定画面群に依拠せずに表示できるように）画像形成デバイス３０にて準備されている。
【００４９】
＜設定画面群Ｇ２＞
設定画面群Ｇ２は、当該設定画面群Ｇ１とは異なる系統の設定画面群（「新たな設定画面群」とも称される）である。当該設定画面群Ｇ２は、サーバデバイス２０にて管理されており、サーバデバイス２０の管理下において操作表示部４０のタッチパネル４５（図１）に表示される。
【００５０】
この設定画面群Ｇ２は、基本設定画面２００と詳細設定画面４００との２種類の設定画面を有する（図５参照）。
【００５１】
基本設定画面２００（２２０（図８）等）は、ＭＦＰ１０（画像形成デバイス３０）における複数の設定項目のうちの一部の設定項目（基本設定項目）に関する設定操作を行うことが可能な設定画面である。当該基本設定画面２００の表示用データは、設定画面群Ｇ２以外の設定画面群（詳細には設定画面群Ｇ１）に依拠せずに表示できるように（端的に言えば、自己完結的に）サーバデバイス２０にて予め準備されている。換言すれば、基本設定画面２００は、設定画面群Ｇ２の表示用データのみを用いて表示することが可能な設定画面である。当該基本設定画面２００は、「非依拠画面」とも称される。
【００５２】
たとえば、設定画面群Ｇ２の基本設定画面２２０（図８）の表示用データが、自己完結的にサーバデバイス２０にて準備されている。図８は、スキャンジョブに関する基本設定画面（スキャン設定画面）２２０を示す図である。
【００５３】
当該基本設定画面２２０（図８）においては、基本設定項目の設定用表示要素（設定用ボタン２２１〜２２５）、詳細設定ボタン２２６〜２２８（後述）、スタートボタン２２９およびボタン２９１〜２９３等が表示される。
【００５４】
当該基本設定画面２２０の表示用データにおいては、当該基本設定画面２２０にて表示すべき全ての表示要素（操作ボタン群等）について、（形状、大きさ（画素サイズ）、配置位置およびその内部に表示すべき文字等）が画面作成者によって指定されている。詳細には、基本設定画面２２０の表示用データでは、設定用ボタン２２１（「フルカラー」）について、表示要素情報（形状、大きさ（画素サイズ）、配置位置およびその内部に表示すべき文字（「フルカラー」）等）が指定されている。同様に、基本設定画面２２０における他の表示要素（ボタン２２６〜２２９，２９１〜２９３等）についても、表示要素情報が指定されている。
【００５５】
一方、詳細設定画面４００（４２０（図１５）等）は、当該複数の設定項目のうち基本設定項目よりも詳細な設定項目（詳細設定項目）に関する設定操作を行うことが可能な設定画面である。当該詳細設定画面４００は、設定画面群Ｇ２以外の設定画面群（詳細には設定画面群Ｇ１）に依拠せずには表示できない表示要素（不完全表示要素）を有する設定画面である。換言すれば、詳細設定画面４００の表示用データは、自己完結的には準備されておらず、詳細設定画面４００は、設定画面群Ｇ２の表示用データのみでは表示することができない設定画面である。当該詳細設定画面４００は、「依拠画面」とも称される。
【００５６】
詳細には、詳細設定画面４００は、基本設定画面２００における複数の表示要素のうちの一部の表示要素（操作ボタン群等）と同じ表示要素と、当該不完全表示要素とを有する。
【００５７】
図１３は、スキャンジョブに関する詳細設定画面４２０（４００）を示す図である。
【００５８】
当該詳細設定画面４２０の表示用データにおいては、基本設定画面２２０（図８）にて表示すべき表示要素のうち合成領域３００（不完全表示要素を補完する補完情報に基づく画像を配置する領域）（図１３）以外の領域に存在する表示要素と同じ表示要素が当該基本設定画面２２０での配置位置と同じ位置に表示（配置）されるように、表示要素情報（形状および大きさ等）が指定されている。換言すれば、詳細設定画面４２０の表示用データでは、基本設定画面２２０にて表示すべき表示要素のうち合成領域３００以外の領域に存在する表示要素の表示要素情報（形状、大きさおよび配置位置等）がそのまま利用（流用）される。
【００５９】
当該詳細設定画面４２０の表示用データでは、設定画面群Ｇ２の基本設定画面２２０にて合成領域３００以外の領域に存在する操作ボタン群（ボタン２２６〜２２９，２９１〜２９３）と同じ操作ボタン群が基本設定画面２２０での配置位置と同じ位置に配置されるように、当該操作ボタン群の表示要素情報が指定されている。また、当該詳細設定画面４２０の表示用データでは、詳細設定画面４２０における合成領域３００以外の領域が基本設定画面２２０の背景色と同じ背景色を有するように、詳細設定画面４２０の背景部分の表示要素情報が指定されている。
【００６０】
また、当該詳細設定画面４２０の表示用データにおいては、不完全表示要素について、表示すべき表示要素（設定用表示要素等）の形状および大きさ等ではなく、次のような情報が指定されている。
【００６１】
詳細には、設定画面群Ｇ２の詳細設定画面４２０の表示用データでは、設定画面群Ｇ１のうち、詳細設定画面４２０にて表示すべき設定項目（たとえば「ファイル形式」）に対応（共通）する設定項目を有する一の設定画面５００（たとえば「ファイル形式」設定画面５２０（図９））の画面ＩＤ（画面識別情報）が指定されている。
【００６２】
また、設定画面群Ｇ２の詳細設定画面４２０の表示用データでは、設定画面群Ｇ１の当該一の設定画面５００（たとえば「ファイル形式」設定画面５２０）から抽出すべき部分領域もが指定されている。詳細には、「ファイル形式」設定画面５２０において設定項目「ファイル形式」を設定するための領域（設定領域６００（設定用領域））の領域情報（座標位置（たとえば、矩形領域の左上の点の座標位置）および大きさ（幅および高さ））が指定されている。より詳細には、設定画面群Ｇ１の「ファイル形式」設定画面５２０における設定項目「ファイル形式」の設定用表示要素（設定用ボタン５２１〜５２７（図９））を含むように（図１２も参照）、当該設定領域６００の領域情報が指定されている。換言すれば、詳細設定画面４２０（４００）における不完全表示要素を含むように、当該設定領域６００が指定されている。なお、ここでは、設定画面群Ｇ１の一の設定画面５００における部分領域が指定されているが、これに限定されず、当該一の設定画面５００の全体領域が指定されてもよい。
【００６３】
さらに、設定画面群Ｇ２の詳細設定画面４２０の表示用データでは、当該詳細設定画面４２０内の合成領域３１０（図１３）の座標位置および大きさ等もが指定されている。
【００６４】
後述するように、サーバデバイス２０は、基本設定画面２２０から詳細設定画面４２０への遷移指令が受け付けられると、当該詳細設定画面４２０の表示用データにて指定されている画面ＩＤと設定領域６００の領域情報とを用いて詳細設定画面４２０を生成する。
【００６５】
＜１−３．画像形成デバイス３０の構成＞
画像形成デバイス３０（図１も参照）は、ＭＦＰ（旧来のＭＦＰ）に関する機能を有し、各種のジョブ（コピージョブ、スキャンジョブ等）を実行することが可能なデバイスである。なお、画像形成デバイス３０は、画像処理デバイスあるいはＭＦＰデバイスなどとも称される。
【００６６】
図３は、画像形成デバイス３０の機能ブロックを示す図である。画像形成デバイス３０は、管理対象機能（コピー機能、スキャン機能、ファクシミリ機能およびボックス印刷機能等）を管理している。具体的には、画像形成デバイス３０は、図３に示すように、画像読取部２、印刷出力部３、通信部４、格納部５およびコントローラ（制御部）９等を備えており、これらの各部を複合的に動作させることによって、各種の機能（管理対象機能）を実現する。
【００６７】
画像読取部２は、画像形成デバイス３０の所定の位置（自動原稿供給部（ＡＤＦ：Auto Document Feeder）あるいはガラス面等）に載置された原稿を光学的に読み取って（すなわちスキャンして）、当該原稿の画像データ（原稿画像あるいはスキャン画像とも称する）を生成する処理部である。この画像読取部２は、スキャン部などとも称される。画像形成デバイス３０は、所定の位置に載置された原稿を読み取ることが可能なデバイスであり、画像読取デバイスとも称される。
【００６８】
印刷出力部３は、印刷対象に関するデータに基づいて紙などの各種の媒体に画像を印刷出力する出力部である。画像形成デバイス３０は、各種の媒体に画像を印刷出力することが可能なデバイスであり、印刷出力デバイスとも称される。
【００６９】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、画像形成デバイス３０は、所望の相手先との間で各種のデータを授受することが可能である。
【００７０】
格納部５は、各種の記憶装置（（揮発性および／または不揮発性の）半導体メモリおよび／またはハードディスクドライブ（ＨＤＤ）等）で構成される。当該格納部５には、ＭＦＰ１０に予め格納されている設定画面群（画像形成デバイス３０にて管理されている設定画面群）Ｇ１（旧来の設定画面群）（図５）の各設定画面５００の表示用データが格納されている。
【００７１】
コントローラ９は、画像形成デバイス３０に内蔵され、画像形成デバイス３０を統括的に制御する制御装置である。コントローラ９は、ＣＰＵ（Central Processing Unit）（マイクロプロセッサあるいはコンピュータプロセッサなどとも称される）および各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されて画像形成デバイス３０にインストールされるようにしてもよい。あるいは、当該プログラムは、ネットワークを経由してダウンロードされて画像形成デバイス３０にインストールされるようにしてもよい。
【００７２】
具体的には、図３に示されるように、コントローラ９は、上記のプログラムの実行により、通信制御部９ａと操作制御部９ｂと表示制御部９ｃとジョブ制御部９ｄと抽出部９ｆとを含む各種の処理部を実現する。
【００７３】
通信制御部９ａは、通信部３４等と協働して他のデバイス（同一筐体（同一装置）内の他のデバイス（サーバデバイス２０等）、および別の筐体内にて構成される他の装置内のデバイスを含む）等との間の通信動作を制御する処理部である。
【００７４】
操作制御部９ｂは、操作表示部４０（図１）と協働して、操作表示部４０（特にタッチパネル４５）に対する入力動作（操作入力を受け付ける動作）を制御するとともに、操作表示部４０（特にタッチパネル４５）における表示動作（表示出力動作）を制御する処理部である。たとえば、操作制御部９ｂは、画像形成デバイス３０の管理対象機能に関する情報等を操作表示部４０（タッチパネル４５）に表示させるとともに、操作表示部４０に対するユーザ操作に関する操作入力情報（タッチ情報等）を当該操作表示部４０から取得する。
【００７５】
表示制御部９ｃは、設定画面群Ｇ１の各設定画面５００の操作表示部４０への表示動作等を制御する処理部である。
【００７６】
ジョブ制御部９ｄは、ＭＦＰ１０（画像形成デバイス３０）におけるジョブの実行（実行動作）を制御する処理部である。
【００７７】
抽出部９ｆは、設定画面群Ｇ１のうちの一の設定画面５００（図５）内における指定領域であって当該一の設定画面５００における所定の設定項目に関する設定用ボタンを含むように指定された指定領域（設定領域６００（図６））を当該一の設定画面５００から抽出する処理（抽出処理）を実行する処理部である。また、抽出部９ｆは、当該一の設定画面５００（図５）から抽出した設定領域６００の画像（抽出画像６５０）を生成する処理（生成処理）等をも実行する。
【００７８】
なお、ここでは、主にコントローラ９のＣＰＵにてソフトウエアプログラムを実行することによって、上述の各種の動作が実行される態様が例示されているが、これに限定されず、画像形成デバイス３０（詳細には、コントローラ９の内部あるいは外部）にて設けられた専用ハードウエア等を用いて、上述の各種の動作が実行されるようにしてもよい。たとえば、通信制御部９ａ、操作制御部９ｂ、表示制御部９ｃ、ジョブ制御部９ｄおよび抽出部９ｆ（図３）等の全部または一部が、１または複数の専用ハードウエアを用いて実現されてもよい。
【００７９】
＜１−４．サーバデバイス２０の構成＞
サーバデバイス２０（図１も参照）は、サーバ機能を実現することが可能なデバイスである。サーバデバイス２０は、たとえば汎用的なコンピュータ装置として構成される。
【００８０】
図４は、サーバデバイス２０の機能ブロックを示す図である。
【００８１】
サーバデバイス２０は、図４の機能ブロック図に示すように、通信部２４、格納部２５、コントローラ（制御部）２９等を備えており、これらの各部を複合的に動作させることによって、各種の機能を実現する。
【００８２】
通信部２４は、ネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、サーバデバイス２０は、所望の相手先と連携して各種のデータを授受することが可能である。
【００８３】
格納部２５は、各種の記憶装置（（揮発性および／または不揮発性の）半導体メモリおよび／またはハードディスクドライブ（ＨＤＤ）等）で構成される。
【００８４】
格納部２５には、サーバデバイス２０の管理対象機能を操作表示部４０に表示するための表示用データが格納されている。なお、サーバデバイス２０は、管理対象機能（電子メール機能、データ保存機能、ファイル形式変換機能および画像編集機能等）を管理している。具体的には、サーバデバイス２０には、各種の機能（管理対象機能）を実現するためのアプリケーション（アプリケーションソフトウエアプログラム）が予めインストールされており、サーバデバイス２０は、各アプリケーションを用いて各種の機能（管理対象機能）を実現する。
【００８５】
また、格納部２５には、サーバデバイス２０を用いて画像形成デバイス３０に関する設定操作を行うための設定画面群Ｇ２（図５）の表示用データもが格納されている。
【００８６】
コントローラ（制御部）２９は、サーバデバイス２０に内蔵され、サーバデバイス２０を統括的に制御する制御装置である。コントローラ２９は、ＣＰＵおよび各種の半導体メモリ（ＲＡＭおよびＲＯＭ）等を備えるコンピュータシステムとして構成される。コントローラ２９は、ＣＰＵにおいて、記憶部（半導体メモリ等）内に格納されている所定のプログラムを実行することによって、各種の処理部を実現する。なお、当該プログラム（詳細にはプログラムモジュール群）は、ＵＳＢメモリなどの可搬性の記録媒体に記録され、当該記録媒体から読み出されてサーバデバイス２０にインストールされるようにしてもよい。あるいは、当該プログラムは、ネットワークを経由してダウンロードされてサーバデバイス２０にインストールされるようにしてもよい。
【００８７】
具体的には、コントローラ２９は、当該プログラム等の実行により、通信制御部２９ａと操作制御部２９ｂと表示制御部２９ｃと生成部２９ｅと取得部２９ｇとを含む各種の処理部を実現する。
【００８８】
通信制御部２９ａは、通信部２４等と協働して他のデバイス（同一筐体（同一装置）内の他のデバイス（画像形成デバイス３０等）、および別の筐体内にて構成される他の装置内のデバイスを含む）等との間の通信動作を制御する処理部である。
【００８９】
操作制御部２９ｂは、操作表示部４０と協働して、操作表示部４０（タッチパネル４５）に対する入力動作を制御するとともに、操作表示部４０（タッチパネル４５）における表示動作を制御する処理部である。たとえば、操作制御部２９ｂは、サーバデバイス２０の管理対象機能に関する情報等を操作表示部４０（タッチパネル４５）に表示させるとともに、操作表示部４０（タッチパネル４５）に対するユーザ操作に関する操作入力情報を当該操作表示部４０から取得する。
【００９０】
表示制御部２９ｃは、設定画面群Ｇ２（新たな設定画面群）の各設定画面２００，４００の操作表示部４０への表示動作等を制御する処理部である。
【００９１】
生成部２９ｅは、詳細設定画面４００を生成する処理部である。
【００９２】
取得部２９ｇは、補完情報を画像形成デバイス３０から取得する処理部である。当該補完情報は、上述したように、設定画面群Ｇ２の詳細設定画面４００における不完全表示要素（設定画面群Ｇ２以外の設定画面群に依拠せずには表示できない表示要素）を補完する情報である。ここでは、取得部２９ｅは、設定画面群Ｇ１のうちの一の設定画面５００における所定の設定項目に関する設定用表示要素（設定用ボタン）を含むように指定された設定領域６００の画像データ（詳細には、抽出画像６５０の画像データ）を、補完情報として取得する。
【００９３】
なお、ここでは、主にコントローラ２９のＣＰＵにてソフトウエアプログラムを実行することによって、上述の各種の動作が実行される態様が例示されているが、これに限定されず、サーバデバイス２０（詳細には、コントローラ２９の内部あるいは外部）にて設けられた専用ハードウエア等を用いて、上述の各種の動作が実行されるようにしてもよい。たとえば、通信制御部２９ａ、操作制御部２９ｂ、表示制御部２９ｃ、生成部２９ｅおよび取得部２９ｇ（図４）等の全部または一部が、１または複数の専用ハードウエアを用いて実現されてもよい。
【００９４】
＜１−５．操作表示部４０の構成＞
このＭＦＰ１０においては、略板状の操作表示部４０（図１参照）が設けられている。操作表示部４０は、その正面側にタッチパネル４５（図１参照）を有している。タッチパネル（操作パネルとも称する）４５は、液晶表示パネルに各種センサ等が埋め込まれて構成され、各種情報を表示するとともに操作者からの各種の操作入力を受け付けることが可能である。タッチパネル４５は、タッチパネル４５に対するユーザの操作入力を受け付ける操作入力部としても機能するとともに、各種情報を表示する表示部としても機能する。
【００９５】
たとえば、タッチパネル４５には、或る時点において複数の画面の中から選択された画面（設定画面等）が表示され、当該画面には、１又は複数のソフトウエアキー（ソフトウエアによって実現されるキー（ボタン）等）が表示される。そして、当該ソフトウエアキーに対するタッチ操作（キーの押下操作等）を検出することによって、ユーザの操作入力が受け付けられる。
【００９６】
また、操作表示部４０は、図２に示すように、タッチパネル４５に加えてパネル制御部４１をも備えている。パネル制御部４１は、タッチパネル４５に関する動作を制御する処理部である。パネル制御部４１は、複数のデバイス（ここではサーバデバイス２０および画像形成デバイス３０）のうちの一のデバイス（表示元デバイス）から送信されてくる画面データに基づく画像を、タッチパネル４５に表示する。また、パネル制御部４１は、タッチパネル４５に対するユーザの操作入力に基づく情報（操作入力情報）（タッチ情報等）を当該一のデバイス（表示元デバイス）に向けて送信する。
【００９７】
パネル制御部４１は、ＣＰＵおよび各種の半導体メモリ（ＲＡＭおよびＲＯＭ）等を備えるコンピュータシステムとして構成される。パネル制御部４１は、ＣＰＵにおいて、記憶部（半導体メモリ等）内に格納されている所定のプログラムを実行することによって、操作表示部４０（タッチパネル４５等）に関する各種の動作を制御するコントローラである。なお、当該プログラム（詳細にはプログラムモジュール群）は、ＵＳＢメモリなどの可搬性の記録媒体に記録され、当該記録媒体から読み出されて操作表示部４０にインストールされるようにしてもよい。あるいは、当該プログラムは、ネットワークを経由してダウンロードされて操作表示部４０にインストールされるようにしてもよい。
【００９８】
＜１−６．簡易ＭＦＰ機能＞
この実施形態において、サーバデバイス２０は、自デバイス２０の管理対象機能（電子メール機能等）のみならず、画像形成デバイス３０に関する複数の設定項目のうちの一部の設定項目を設定することが可能な機能（「簡易ＭＦＰ機能」とも称する）をも有している。
【００９９】
詳細には、上述したように、サーバデバイス２０は、自デバイス２０の管理対象機能の表示画面に関する表示用データのみならず、サーバデバイス２０を用いて画像形成デバイス３０に関する設定操作を行うための設定画面群Ｇ２（図５）の表示用データをも有している。
【０１００】
たとえば、サーバデバイス２０は、画像形成デバイス３０の管理対象機能（コピー機能、スキャン機能等）に関するメニュー画面２１０（２００）（図７）の表示用データを有している。当該メニュー画面２１０は、簡易ＭＦＰ機能の初期画面として操作表示部４０に表示される。
【０１０１】
メニュー画面２１０には、図７に示されるように、４つのボタン２１１〜２１４が表示される。ボタン２１１は、コピー機能（コピージョブ）に関する基本設定画面（コピー設定画面）に遷移するためのボタンであり、ボタン２１２は、スキャン機能（スキャンジョブ）に関する基本設定画面（スキャン設定画面）に遷移するためのボタンである。また、ボタン２１３は、ファクシミリ機能（ファクシミリジョブ）に関する基本設定画面（ファクシミリ設定画面）に遷移するためのボタンであり、ボタン２１４は、ボックス印刷機能（ボックス印刷ジョブ）に関する基本設定画面（ボックス印刷設定画面）に遷移するためのボタンである。
【０１０２】
また、サーバデバイス２０は、さらに下位階層のサブ画面の表示用データをも有している。たとえば、サーバデバイス２０は、スキャンジョブに関する基本設定画面（スキャン設定画面）２２０（２００）（図８参照）の表示用データを有している。当該スキャン設定画面２２０は、メニュー画面２１０（図７）内のスキャンボタン２１２の押下操作に応答して操作表示部４０に表示される。なお、設定画面群Ｇ２の各画面（２１０（図７），２２０（図８）等）は、特定の背景色（たとえば黒色）で統一されて描画される。
【０１０３】
当該スキャン設定画面２２０には、図８に示されるように、画像形成デバイス３０のスキャン機能（スキャンジョブ）における複数の設定項目のうちの一部の設定項目（基本設定項目）に関する設定用表示要素（設定用ボタン２２１〜２２５）が表示される。ここでは、スキャンジョブにおける基本設定項目として、設定項目「カラー」と設定項目「片面／両面」とが例示される。詳細には、スキャン設定画面２２０には、基本設定項目「カラー」に関する３つの選択肢（「フルカラー」、「グレースケール」、「白黒２値」）に対応する３つの設定用ボタン２２１〜２２３が表示される。また、スキャン設定画面２２０には、基本設定項目「片面／両面」に関する２つの選択肢（「片面」、「両面」）に対応する２つの設定用ボタン２２４，２５０もが表示される。
【０１０４】
ユーザは、当該スキャン設定画面２２０（図８）においてスキャンジョブに関する設定操作を行う。たとえば、ユーザは、スキャン設定画面２２０において、基本設定項目「カラー」に関して設定用ボタン２２１（「フルカラー」）を選択するとともに、基本設定項目「片面／両面」に関して設定用ボタン２２４（「片面」）を選択する。
【０１０５】
その後、サーバデバイス２０は、スキャン設定画面２２０内のスタートボタン２２９（図８）の押下操作によってスキャンジョブの実行指示を受け付けると、画像形成デバイス３０に対してスキャンジョブを送信する。そして、画像形成デバイス３０は、当該スキャンジョブにて指定された設定内容（設定値）に従ったスキャン動作を実行する。
【０１０６】
このように、サーバデバイス２０における簡易ＭＦＰ機能では、画像形成デバイス３０の管理対象機能（たとえばスキャン機能）に関する設定操作（および実行指示）を行うことが可能である。
【０１０７】
また、簡易ＭＦＰ機能におけるスキャン設定画面２２０（図８）においては、画像形成デバイス３０のスキャン機能（スキャンジョブ）における２つの基本設定項目（「カラー」、「片面／両面」）以外の設定項目（詳細設定項目）に関する設定画面（詳細設定画面）へと遷移するためのボタン（詳細設定ボタン）２２６〜２２８もが設けられている。
【０１０８】
たとえば、詳細設定ボタン２２６は、スキャン機能における詳細設定項目「ファイル形式」の設定画面（ファイル形式設定画面）へと遷移するためのボタンである。また、詳細設定ボタン２２７は、スキャン機能における詳細設定項目「宛先指定」の設定画面（宛先指定設定画面）へと遷移するためのボタンである。さらに、詳細設定ボタン２２８は、スキャン機能における詳細設定項目「ＯＣＲ処理」等の設定画面（ＯＣＲ処理等設定画面）へと遷移するためのボタンである。
【０１０９】
＜１−７．比較例に係る動作＞
当該基本設定画面２００（２２０）において詳細設定ボタンが押下された場合に関して、本願発明に係る動作を説明する前に、比較例に係る動作を以下に説明する。
【０１１０】
比較例に係るサーバデバイス２０にて管理されている設定画面群Ｇ２には、詳細設定項目（「ファイル形式」等）の設定画面（詳細設定画面）は存在しない。そのため、複数の詳細設定ボタン２２６〜２２８のいずれかが押下された場合、比較例に係る動作では、操作表示部４０への表示元デバイスがサーバデバイス２０から画像形成デバイス３０へと切り替えられる。
【０１１１】
そして、画像形成デバイス３０の管理下において、押下された詳細設定ボタンに対応する設定画面５００（たとえばファイル形式設定画面５２０）が、設定画面群Ｇ１（旧来の設定画面群）の中から特定されて操作表示部４０に表示される。図９は、ファイル形式設定画面５２０（５００）を示す図である。
【０１１２】
このように、サーバデバイス２０の簡易ＭＦＰ機能において、設定画面群Ｇ２における基本設定画面２００（２２０）にて詳細設定ボタンが押下されると、操作表示部４０の表示画面が、設定画面群Ｇ２の設定画面２００（２２０）から設定画面群Ｇ１（旧来の設定画面群）の設定画面５００（５２０）に切り替えられる。換言すれば、サーバデバイス２０に存在しない設定画面への遷移指令が受け付けられると、操作表示部４０の表示画面が、設定画面群Ｇ２の設定画面２００から設定画面群Ｇ１（旧来の設定画面群）の設定画面５００に切り替えられる。
【０１１３】
ここにおいて、上述したように、設定画面群Ｇ１（画像形成デバイス３０にて管理されている設定画面群）（旧来の設定画面群）と設定画面群Ｇ２（サーバデバイス２０にて管理されている設定画面群）とは、互いに異なる系統の設定画面群である。
【０１１４】
詳細には、設定画面群Ｇ１の各設定画面５００（たとえばファイル形式設定画面５２０（図９））は、旧来のＭＦＰにおける操作画面に対応する部分（操作画面部分）と、旧来のＭＦＰにおけるハードウエアキー（「スタートボタン」等）を模した画像を配置した部分（ハードウエアキー仮想表示部分５９０）とを有する。
【０１１５】
これに対して、この実施形態において、設定画面群Ｇ２の設定画面（基本設定画面２００（図８等）は、設定画面群Ｇ１の各設定画面５００とは異なる（独自の）画面デザインを有する。特に、たとえば図８の基本設定画面２００に示されるように、設定画面群Ｇ２の設定画面（図８等）には、設定画面群Ｇ１の各設定画面５００のようなハードウエアキー仮想表示部分５９０（図９）は設けられていない。
【０１１６】
そのため、設定画面群Ｇ２の設定画面（たとえばスキャン設定画面２２０（図８））から設定画面群Ｇ１の設定画面５００（たとえばファイル形式設定画面５２０（図９））へと操作表示部４０の表示画面が切り替えられた場合、画面デザインの違い（特に、ハードウエアキー仮想表示部分５９０の有無）に起因して、ユーザが違和感を感じることがある。
【０１１７】
このような事態を回避するため、設定画面群Ｇ２の表示用データのみを用いて（他の設定画面群に依拠せずに）詳細設定項目「ファイル形式」に関する設定画面（詳細設定画面）を表示できるように（端的に言えば、自己完結的に）当該詳細設定画面の表示用データを準備すること、が考えられる。
【０１１８】
ただし、当該詳細設定画面の表示用データを自己完結的に準備するためには、画面作成者は、当該詳細設定画面に含まれる全ての表示要素のそれぞれについて、形状、大きさ、配置位置およびその内部に表示すべき文字等を全て指定することを要する。設定画面群Ｇ２における詳細設定画面の表示用データを自己完結的に準備することは、当該画面作成者にとって大きな労力を要し、効率的ではない。
【０１１９】
＜１−８．本願発明に係る動作＞
このような問題を解決するために、本願発明に係る動作では、設定画面群Ｇ２における詳細設定画面４００の表示用データを自己完結的に準備せずとも、設定画面群Ｇ２の基本設定画面２００と設定画面群Ｇ１の表示用データとを用いることによって当該詳細設定画面４００が生成されて操作表示部４０に表示される。本願発明に係る動作について、以下に説明する。
【０１２０】
＜動作の概略＞
図６は、詳細設定画面４００の生成等に関する概略動作を示す概念図である。
【０１２１】
サーバデバイス２０は、基本設定画面２００の表示中において詳細設定画面４００への遷移指令が受け付けられた場合、当該詳細設定画面４００における不完全表示要素を補完する補完情報の送信要求を画像形成デバイス３０に送信する。
【０１２２】
画像形成デバイス３０は、当該送信要求に応答して、設定画面群Ｇ１の中から一の設定画面５００を特定し、当該一の設定画面５００に基づき抽出画像６５０を生成する。そして、画像形成デバイス３０は、生成した抽出画像６５０の画像データ（設定領域６００の画像データ）を当該補完情報としてサーバデバイス２０に送信する。
【０１２３】
サーバデバイス２０は、当該補完情報（抽出画像６５０の画像データ）に基づく画像（部分画像）を基本設定画面２００内の一部の領域（合成領域３００）に配置した合成画面を、詳細設定画面４００として生成する。そして、サーバデバイス２０は、生成した詳細設定画面４００を操作表示部４０に表示する。
【０１２４】
＜動作の詳細＞
図１０は、サーバデバイス２０の動作を示すフローチャートである。また、図１１は、画像形成デバイス３０の動作を示すフローチャートである。以下、これらの図等を参照しつつ、本実施形態の動作の詳細について説明する。
【０１２５】
なお、ここでは、サーバデバイス２０の簡易ＭＦＰ機能において、画像形成デバイス３０のスキャン機能（スキャンジョブ）に関する基本設定画面２００（スキャン設定画面２２０（図８））が操作表示部４０に表示されているものとする。
【０１２６】
まず、ステップＳ１１においては、サーバデバイス２０は、ユーザによるタッチ操作が検出されたか否か、を判定する。ユーザによるタッチ操作が検出されると、処理はステップＳ１１からステップＳ１２へと進む。
【０１２７】
ステップＳ１２においては、サーバデバイス２０は、検出された押下操作が基本設定項目（ここでは「カラー」、「片面／両面」）に関する押下操作（設定操作）であるか否か、を判定する。
【０１２８】
たとえば、基本設定項目「カラー」の選択肢「フルカラー」の選択操作（設定用ボタン２２１（図８）の押下操作））が受け付けられた場合、処理はステップＳ１２からステップＳ１３へと進む。そして、サーバデバイス２０は、基本設定項目（ここでは「カラー」）に関してユーザによって設定された設定値（ここでは「フルカラー」）を自デバイス２０内に保持する（ステップＳ１３）。
【０１２９】
一方、検出された押下操作が基本設定項目に関する操作でない場合、処理はステップＳ１２からステップＳ１４へと進む。
【０１３０】
ステップＳ１４においては、サーバデバイス２０は、検出された押下操作が詳細設定ボタン（２２６〜２２８）の押下操作であるか否か、を判定する。たとえば、スキャン設定画面２２０（図８）において詳細設定ボタン２２６（「ファイル形式」）の押下操作が受け付けられた場合、サーバデバイス２０は、詳細設定画面４００（ここではファイル形式設定画面４２０）への遷移指令を受け付ける。そして、処理はステップＳ１４からステップＳ１７へと進む。
【０１３１】
ステップＳ１７〜Ｓ１９においては、詳細設定画面４００（４２０）の生成動作および表示動作が行われる。
【０１３２】
まず、ステップＳ１７においては、サーバデバイス２０は、補完情報（ここでは、設定領域６００（抽出画像６５０）の画像データ）の送信要求を画像形成デバイス３０に送信する（図６も参照）。
【０１３３】
このステップＳ１７においては、サーバデバイス２０は、詳細設定画面４００（４２０）の表示用データに基づいて、設定画面群Ｇ１のうち、遷移先の詳細設定画面４２０に表示すべき設定項目に対応する所定の設定項目を有する設定画面５００の画面ＩＤをも、当該補完情報の送信要求とともに画像形成デバイス３０に送信する。ここでは、設定画面群Ｇ１のうち詳細設定項目「ファイル形式」に対応する設定項目「ファイル形式」を有するファイル形式設定画面５２０（図９）の画面ＩＤが、補完情報の送信要求とともに画像形成デバイス３０に送信される。
【０１３４】
また、サーバデバイス２０は、詳細設定画面４００（４２０）の表示用データに基づいて、設定領域６００（設定項目「ファイル形式」の設定用ボタン５２１〜５２７（図１２）を含むように指定された指定領域）の領域指定情報（座標情報等）をも画像形成デバイス３０に送信する。
【０１３５】
さらに、サーバデバイス２０は、詳細設定画面４００における合成領域３００（３１０（図１３））の画素数サイズＰ１（ここでは、縦方向の画素数サイズ）をも画像形成デバイス３０に送信する。
【０１３６】
画像形成デバイス３０においては、サーバデバイス２０からの当該送信要求の受信に応答して、図１１のフローチャートが開始される。
【０１３７】
ステップＳ３１においては、画像形成デバイス３０は、サーバデバイス２０によって指定された画面ＩＤを有する一の設定画面５００（ここではファイル形式設定画面５２０（図９））を設定画面群Ｇ１（旧来の設定画面群）の中から特定する（図６も参照）。
【０１３８】
そして、ステップＳ３２においては、画像形成デバイス３０は、当該一の設定画面５００（ここではファイル形式設定画面５２０）から設定領域６００（設定項目「ファイル形式」に関する設定用ボタン５２１〜５２７を含むように指定された指定領域）を抽出して抽出画像６５０を生成する。
【０１３９】
詳細には、まず、画像形成デバイス３０は、サーバデバイス２０からの領域情報（設定領域６００（指定領域）の座標情報）に基づいて、ファイル形式設定画面５２０から設定領域６００（図１２参照）を抽出する。
【０１４０】
そして、画像形成デバイス３０は、抽出した設定領域６００に基づいて抽出画像６５０を生成する。詳細には、画像形成デバイス３０は、ファイル形式設定画面５２０における設定領域６００の画素数サイズＰ２（ここでは縦方向の画素数サイズ）（図１２）と合成領域３００の画素数サイズＰ１（縦方向の画素数サイズ）（図１３）とを比較する。そして、画像形成デバイス３０は、ファイル形式設定画面５２０から抽出された設定領域６００の画素数サイズＰ２を当該合成領域３００の画素数サイズＰ１に合わせるように当該設定領域６００（設定領域６００の画像）を変倍して、抽出画像６５０を生成する。なお、設定領域６００の横方向の画素数サイズは、設定領域６００の縦方向の画素数サイズにおける変倍率と同じ変倍率で変倍される。
【０１４１】
たとえば、当該ファイル形式設定画面５２０内の設定領域６００（図１２）の画素数サイズＰ２が合成領域３１０（図１３）の画素数サイズＰ１よりも小さい場合、画像形成デバイス３０は、抽出された設定領域６００を合成領域３１０の画素数サイズＰ１にまで拡大して、抽出画像６５０を生成する（図１４参照）。
【０１４２】
一方、当該ファイル形式設定画面５２０内の設定領域６００（図１２）の画素数サイズＰ２が合成領域３２０（３００）（図１６参照）の画素数サイズＰ１よりも大きい場合、画像形成デバイス３０は、抽出された設定領域６００を合成領域３２０の画素数サイズＰ１にまで縮小して、抽出画像６５０を生成する（図１７参照）。
【０１４３】
なお、当該ファイル形式設定画面５２０内の設定領域６００（図１２）の画素数サイズＰ２と合成領域３００の画素数サイズＰ１とが等しい場合は、画像形成デバイス３０は、抽出された設定領域６００を変倍せずに抽出画像６５０を生成する。
【０１４４】
また、ここでは、設定領域６００の縦方向の画素数サイズＰ２を合成領域３００の縦方向の画素数サイズＰ１に合わせるように当該設定領域６００が変倍されて、抽出画像６５０が生成されているが、これに限定されない。設定領域６００の横方向の画素数サイズを合成領域３００の横方向の画素数サイズに合わせるように当該設定領域６００が変倍されて、抽出画像６５０が生成されてもよい。
【０１４５】
そして、画像形成デバイス３０は、生成した抽出画像６５０（図１４参照）の画像データを補完情報としてサーバデバイス２０に送信する（ステップＳ３３（Ｓ３３ａ））（図６も参照）。
【０１４６】
再びサーバデバイス２０の動作について説明する。
【０１４７】
サーバデバイス２０は、抽出画像６５０（図１４）の画像データを補完情報として画像形成デバイス３０から取得（受信）する（ステップＳ１８ａ（Ｓ１８））と、詳細設定画面４００を生成して操作表示部４０に表示する（ステップＳ１９）。
【０１４８】
詳細には、サーバデバイス２０は、画像形成デバイス３０から取得した画像データに基づく部分画像（抽出画像６５０）を基本設定画面２００（ここではスキャン設定画面２２０）内の一部の領域に配置した合成画面を、詳細設定画面４００（ここではファイル形式設定画面４２０（図１５））として生成する。より詳細には、当該抽出画像６５０を合成領域３１０（図１３）に配置した合成画面が、ファイル形式設定画面４２０として生成される。当該ファイル形式設定画面４２０においては、基本設定画面２００（ここではスキャン設定画面２２０）において合成領域３００以外の領域に存在する操作ボタン群（ボタン２２６〜２２９，２９１〜２９３）と同じ操作ボタン群が、そのまま（基本設定画面２００での配置位置と同じ位置に）配置される。
【０１４９】
そして、サーバデバイス２０は、生成した詳細設定画面４２０（図１５）を操作表示部４０（タッチパネル４５）に表示させる（図６も参照）。そして、処理はステップＳ２０を経て再びステップＳ１１へと戻る。
【０１５０】
その後、詳細設定画面４００（４２０）において、たとえば詳細設定ボタン２２６（「ファイル形式」）のタッチ操作が受け付けられると、操作表示部４０の表示画面が詳細設定画面４２０（図１５）から基本設定画面２２０（図８）に切り替えられる。
【０１５１】
また、詳細設定画面４２０内の抽出画像６５０（図１５）に対するタッチ操作が行われた場合は、次のような動作が実行される。
【０１５２】
詳細には、ステップＳ１１にて検出されたタッチ操作が、当該抽出画像６５０内での押下操作である場合には、ステップＳ１２，Ｓ１４を経た後、ステップＳ１５にて「ＹＥＳ」と判定される。そして、処理はステップＳ１５からステップＳ１６へと進む。
【０１５３】
ステップＳ１６においては、サーバデバイス２０は、抽出画像６５０内での押下位置に関する座標情報（押下位置を示す押下位置情報）を画像形成デバイス３０（詳細にはジョブ制御部９ｄ（図３））に通知する。
【０１５４】
そして、画像形成デバイス３０は、押下位置情報をサーバデバイス２０から受信すると、当該押下位置情報に基づいて、設定項目「ファイル形式」に関する設定値（たとえば「ＰＤＦ」）を取得する。なお、設定領域６００が変倍（拡大（図１４）あるいは縮小（図１７））されて抽出画像６５０が生成されていた場合は、抽出画像６５０での押下位置情報が変倍前の設定領域６００での座標情報に変換され、変換後の押下位置情報に基づいて設定項目「ファイル形式」に関する設定値（たとえば「ＰＤＦ」）が取得される。
【０１５５】
そして、詳細設定画面４２０（図１５）においてスタートボタン２２９の押下操作が検出されると、ステップＳ２０にて「ＹＥＳ」と判定され、処理はステップＳ２０からステップＳ２１へと進む。
【０１５６】
ステップＳ２１（Ｓ２１ａ）においては、サーバデバイス２０は、ジョブ（ここではスキャンジョブ）の実行指令を画像形成デバイス３０に送信する。なお、サーバデバイス２０は、基本設定項目に関する設定値（たとえば基本設定項目「カラー」に関する設定値「フルカラー」）をも画像形成デバイス３０に通知する。
【０１５７】
そして、画像形成デバイス３０は、当該実行指令に応答して、スキャンジョブを実行する。詳細には、基本設定項目に関する設定値（サーバデバイス２０から取得した設定値）と詳細設定項目に関する設定値（サーバデバイス２０から取得した押下位置情報に基づき取得した設定値）とに基づくスキャンジョブを実行する。
【０１５８】
以上のように、第１実施形態では、設定画面群Ｇ２における基本設定画面２００（たとえばスキャン設定画面２２０）の表示中に詳細設定画面４００（たとえばファイル形式設定画面４２０）への遷移指令が受け付けられた場合、補完情報（ここでは設定領域６００の画像データ）が、設定画面群Ｇ１の表示用データに基づき取得される。そして、取得された補完情報に基づく画像（抽出画像６５０）を基本設定画面２００に配置した合成画面が、当該詳細設定画面４００として生成されて操作表示部４０に表示される。それ故、画面作成者は、設定画面群Ｇ２の詳細設定画面４００における一部の表示要素（不完全表示要素）について、形状、大きさ、配置位置およびその内部に表示すべき文字等を指定することを要しない。したがって、画面作成者の労力を軽減しつつ（効率的に）、ＭＦＰ１０用に予め準備されている設定画面群Ｇ１とは異なる設定画面群Ｇ２を表示させることが可能である。
【０１５９】
また、基本設定画面２００内の一部の領域（合成領域３００）以外の領域に存在する操作ボタン群（ボタン２２６〜２２９，２９１〜２９３（図８））と同じ操作ボタン群を基本設定画面２００での配置位置と同じ位置に配置した合成画面が、詳細設定画面４００として生成されて表示される（図１５等参照）。したがって、基本設定画面２００と詳細設定画面４００との相互間において統一感を持たせることが可能である。ひいては、基本設定画面２００から詳細設定画面４００へと遷移する場合において、当該基本設定画面２００から設定画面群Ｇ１の設定画面５００（たとえばファイル形式設定画面５２０（図９））へと遷移する（切り替わる）場合と比較して、ユーザの違和感を低減することが可能である。
【０１６０】
＜２．第２実施形態＞
第２実施形態は、第１実施形態の変形例である。以下では、第１実施形態との相違点を中心に説明する。
【０１６１】
上記第１実施形態では、画像形成デバイス３０にて管理されている設定画面群が、設定画面群Ｇ１として例示されており、サーバデバイス２０にて管理されている設定画面群であってサーバデバイス２０を用いて画像形成デバイス３０に関する設定操作を行うための設定画面群が、設定画面群Ｇ２として例示されている。
【０１６２】
これに対して、この第２実施形態では、全ユーザに共通の設定画面群が、設定画面群Ｇ１として例示され、特定のユーザ向けにカスタマイズされた設定画面群が、設定画面群Ｇ２として例示される。
【０１６３】
図１８は、この第２実施形態に係るＭＦＰ１０の概略構成を示すブロック図である。
【０１６４】
この第２実施形態では、第１実施形態のように２つのデバイス（サーバデバイス２０および画像形成デバイス３０）を備えて構成されたＭＦＰではなく、いわゆる旧来のＭＦＰをＭＦＰ１０として例示する。第２実施形態に係るＭＦＰ１０は、第１実施形態に係る画像形成デバイス３０の構成（図３）と同様の構成を有するとともに、操作部６と生成部９ｅと取得部９ｇとをさらに有する。
【０１６５】
操作部６は、ＭＦＰ１０に対する操作入力を受け付ける操作入力部６ａと、各種情報の表示出力を行う表示部６ｂとを備えている。詳細には、操作表示部４０（タッチパネル４５）が、当該操作入力部６ａの一部として機能するとともに、表示部６ｂの一部としても機能する。また、第２実施形態に係るＭＦＰ１０の生成部９ｅと取得部９ｇとは、第１実施形態に係るサーバデバイス２０の生成部２９ｅと取得部２９ｇ（図４）と同様の処理を実行する。
【０１６６】
このＭＦＰ１０には、第１実施形態と同様に、２つの系統の設定画面群Ｇ１，Ｇ２（図５）が存在している。
【０１６７】
設定画面群Ｇ１は、ＭＦＰ１０に予め格納されている設定画面群であり、全ユーザに共通の設定画面群である。
【０１６８】
一方、設定画面群Ｇ２は、特定のユーザ向けに（ユーザごとに）カスタマイズされた（独自にデザインされた）設定画面群である。なお、第２実施形態に係る設定画面群Ｇ２は、第１実施形態に係る設定画面群Ｇ２と同じ画面デザインを有するものとする。
【０１６９】
また、設定画面群Ｇ２のうちの一部の設定画面（基本設定画面２００）の表示用データは、設定画面群Ｇ２以外の設定画面群に依拠せずに表示できるように（自己完結的に）ＭＦＰ１０にて準備されている。一方、他の設定画面（詳細設定画面４００）の表示用データは、自己完結的には（設定画面群Ｇ２以外の設定画面群に依拠せずに表示できるようには）準備されていない。
【０１７０】
第２実施形態では、当該２つの系統の設定画面群Ｇ１，Ｇ２を有するＭＦＰ１０において、第１実施形態と同様の動作が実行される。ただし、第２実施形態では、サーバデバイス２０と画像形成デバイス３０との間でのデータの授受等は行われず、各デバイスの処理がＭＦＰ１０のコントローラ９にて実行される。
【０１７１】
図１９は、第２実施形態に係る詳細設定画面４００の生成等に関する概略を示す概念図である。また、図２０および図２１は、第２実施形態に係るＭＦＰ１０の動作を示すフローチャートである。
【０１７２】
ここでは、第１実施形態と同様に、設定画面群Ｇ２の基本設定画面２００（詳細にはスキャン設定画面２２０（図８））が操作表示部４０に表示されている場合において、詳細設定ボタン２２６（「ファイル形式」）が押下された状況を想定する。
【０１７３】
詳細には、基本設定画面２００（スキャン設定画面２２０）の表示中において詳細設定画面４００（ここではファイル形式設定画面４２０）への遷移指令が受け付けられると、処理はステップＳ１４からステップＳ１８（Ｓ１８ｂ）へと進む。なお、第２実施形態におけるステップＳ１１〜Ｓ１３（図２０）の処理内容は、第１実施形態におけるステップＳ１１〜Ｓ１３（図１０）の処理内容と同様である。
【０１７４】
ステップＳ１８（Ｓ１８ｂ）においては、図２１のフローチャートにおける処理によって、ＭＦＰ１０は、補完情報（抽出画像６５０の画像データ）を取得する。
【０１７５】
詳細には、ＭＦＰ１０は、遷移先の詳細設定画面４００（ここではファイル形式設定画面４２０）の表示用データに基づいて、遷移先の詳細設定画面４００に表示すべき設定項目に対応（共通）する所定の設定項目を有する設定画面５００の画面ＩＤを取得する。そして、ＭＦＰ１０は、取得した画面ＩＤに基づいて、設定画面群Ｇ１（旧来の設定画面群）の中からファイル形式設定画面５２０（図１２）を特定し（ステップＳ３１）、当該ファイル形式設定画面５２０（図１２）に基づいて抽出画像６５０を生成する（ステップＳ３２）。なお、第２実施形態のステップＳ３１，Ｓ３２（図２１）の処理については、第１実施形態のステップＳ３１，Ｓ３２（図１１）と同様である。
【０１７６】
抽出画像６５０が生成されると、ＭＦＰ１０は、生成した抽出画像６５０の画像データを補完情報として取得する（ステップＳ３３ｂ）。
【０１７７】
そして、処理はステップＳ１８ｂからステップＳ１９へと進み、ＭＦＰ１０は、取得した抽出画像６５０を基本設定画面２００（ここではスキャン設定画面２２０）内の一部の領域（合成領域３００）に配置した合成画面を、詳細設定画面４００（ファイル形式設定画面４２０（図１５））として生成して操作表示部４０に表示する（図１９も参照）。
【０１７８】
なお、ステップＳ１５，Ｓ１６，Ｓ２０，Ｓ２１においては、上記第１実施形態と同様の動作が行われる。ただし、ステップＳ２１（Ｓ２１ｂ）に関しては、ジョブ（ここではスキャンジョブ）の実行指令が、画像形成デバイス３０のジョブ制御部９ｄ（図３）ではなく、ＭＦＰ１０のジョブ制御部９ｄ（図１８）に送信される。
【０１７９】
＜３．第３実施形態＞
第３実施形態は、第２実施形態の変形例である。以下では、第２実施形態との相違点を中心に説明する。
【０１８０】
上記第２実施形態では、ＭＦＰ１０にて生成された詳細設定画面４００が、当該ＭＦＰ１０（ＭＦＰ１０の操作表示部４０）にて表示されている（図１９も参照）。また、上記第２実施形態では、全ユーザに共通の設定画面群が設定画面群Ｇ１として例示されており、特定のユーザ向けにカスタマイズされた設定画面群が設定画面群Ｇ２として例示されている。
【０１８１】
これに対して、この第３実施形態では、ＭＦＰ１０にて生成された詳細設定画面４００が、当該ＭＦＰ１０とは異なる情報処理装置（外部端末５０）にて表示される。また、この第３実施形態では、ＭＦＰ１０の操作表示部４０に表示される設定画面群が設定画面群Ｇ１として例示され、ＭＦＰ１０からのウエブページ情報に基づき外部端末５０のウエブブラウザ機能を用いて外部端末５０にて表示される設定画面群が、設定画面群Ｇ２として例示される。
【０１８２】
図２２は、第３実施形態に係る表示システム１を示す図である。この表示システム１は、ＭＦＰ１０と外部端末５０とを備える。
【０１８３】
ＭＦＰ１０と外部端末５０とは、ネットワーク１０８を介して互いに通信可能に接続される。ネットワーク１０８は、ＬＡＮ（Local Area Network）およびインターネットなどによって構成される。また、当該ネットワーク１０８に対する接続態様は、有線接続であってもよく、あるいは無線接続であってもよい。
【０１８４】
＜３−１．外部端末５０の構成＞
外部端末５０は、ＭＦＰ１０等との間でのネットワーク通信が可能な情報入出力端末装置（情報端末）である。ここでは、外部端末５０として、パーソナルコンピュータを例示する。ただし、これに限定されず、外部端末５０は、タブレット型端末あるいはスマートフォンなどであってもよい。
【０１８５】
図２３は、外部端末５０の概略構成を示す機能ブロック図である。
【０１８６】
外部端末５０は、図２３の機能ブロック図に示すように、通信部５４、格納部５５、操作部５６およびコントローラ５９等を備えており、これらの各部を複合的に動作させることによって、各種の機能を実現する。
【０１８７】
通信部５４は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、外部端末５０は、所望の相手先（ＭＦＰ１０等）との間で各種のデータを授受することが可能である。通信部５４は、各種データを送信する送信部５４ａと各種データを受信する受信部５４ｂとを有する。
【０１８８】
格納部５５は、不揮発性の半導体メモリ等の記憶装置で構成される。
【０１８９】
操作部５６は、外部端末５０に対する操作入力を受け付ける操作入力部５６ａと、各種情報の表示出力を行う表示部５６ｂとを備えている。
【０１９０】
図２３のコントローラ（制御部）５９は、外部端末５０に内蔵され、外部端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のプログラムを実行することによって、各種の処理部を実現する。なお、当該プログラム（詳細にはプログラムモジュール群）は、ＵＳＢメモリなどの可搬性の記録媒体に記録され、当該記録媒体から読み出されて外部端末５０にインストールされるようにしてもよい。あるいは、当該プログラムは、ネットワーク１０８等を経由してダウンロードされて外部端末５０にインストールされるようにしてもよい。
【０１９１】
具体的には、コントローラ５９は、当該プログラム等の実行により、通信制御部５９ａと入力制御部５９ｂと表示制御部５９ｃとを含む各種の処理部を実現する。
【０１９２】
通信制御部５９ａは、通信部５４等と協働して、ＭＦＰ１０等との通信動作を制御する処理部である。
【０１９３】
入力制御部５９ｂは、操作入力部５６ａに対する操作入力動作等を制御する制御部である。
【０１９４】
表示制御部５９ｃは、表示部５６ｂにおける各種情報の表示動作を制御する処理部である。
【０１９５】
なお、ここでは、主にコントローラ５９のＣＰＵにてソフトウエアプログラムを実行することによって、上述の各種の動作が実行される態様が例示されているが、これに限定されず、外部端末５０（詳細には、コントローラ５９の内部あるいは外部）にて設けられた専用ハードウエア等を用いて、上述の各種の動作が実行されるようにしてもよい。たとえば、通信制御部５９ａ、入力制御部５９ｂおよび表示制御部５９ｃ（図２３）等の全部または一部が、１または複数の専用ハードウエアを用いて実現されてもよい。
【０１９６】
＜３−２．第３実施形態に係る動作＞
第３実施形態に係るＭＦＰ１０においても、上記各実施形態と同様に、２つの系統の設定画面群Ｇ１，Ｇ２（図５）が存在している。
【０１９７】
この第３実施形態に係る設定画面群Ｇ１は、ＭＦＰ１０に予め格納されている設定画面群（旧来の設定画面群）であり、ＭＦＰ１０のタッチパネル４５（操作表示部４０）において表示される設定画面群（操作表示部４０を用いてＭＦＰ１０の設定操作を行うことが可能な設定画面群）である。
【０１９８】
一方、第３実施形態に係る設定画面群Ｇ２は、ＭＦＰ１０からのウエブページ情報（ウエブページデータ）に基づき外部端末５０のウエブブラウザ機能を用いて外部端末５０に表示される設定画面群（外部端末５０を用いてＭＦＰ１０の設定操作を行うことが可能な設定画面群）である。
【０１９９】
詳細には、第３実施形態に係るＭＦＰ１０は、第２実施形態に係るＭＦＰ１０（図１８）と同様の構成を有する。ただし、この第３実施形態に係るＭＦＰ１０の生成部９ｅは、ウエブ制御部（不図示）を有する。ウエブ制御部は、所定の形式（例えば、ＨＴＭＬ（HyperText Markup Language）形式）の詳細設定画面４００を生成する処理部である。より詳細には、ウエブ制御部は、外部端末５０からのＨＴＴＰリクエストに応答して詳細設定画面４００のＨＴＭＬデータを生成し、当該ＨＴＭＬデータをＨＴＴＰレスポンスとして外部端末５０に送信する。
【０２００】
また、ＭＦＰ１０において、当該設定画面群Ｇ２のうちの一部の設定画面（基本設定画面２００）の表示用データは、設定画面群Ｇ２以外の設定画面群に依拠せずに表示できるように（自己完結的に）準備されている。一方、他の設定画面（詳細設定画面４００）の表示用データは、自己完結的には（設定画面群Ｇ２以外の設定画面群に依拠せずに表示できるようには）準備されていない。
【０２０１】
図２４は、第３実施形態に係る詳細設定画面４００の生成等に関する概略を示す概念図である。
【０２０２】
第３実施形態では、基本的には上記第２実施形態と同様の動作が行われる。ただし、この第３実施形態では、ＭＦＰ１０にて生成された詳細設定画面４００が、ＭＦＰ１０の操作表示部４０ではなく、外部端末５０にて表示される。
【０２０３】
以下、第３実施形態に係る動作について、詳述する。なお、ここでは、設定画面群Ｇ２のプリント設定画面２３０（プリントジョブに関する基本設定画面２００）（図２５）が外部端末５０にて表示されている場合において、詳細設定ボタンが押下された状況を想定する。
【０２０４】
図２５は、プリント設定画面２３０を示す図である。当該プリント設定画面２３０は、ＭＦＰ１０からのＨＴＭＬデータに基づき外部端末５０にて表示される。当該プリント設定画面２３０では、プリントジョブにおける複数の設定項目のうちの一部の設定項目（基本設定項目）に関する設定を行うことが可能である。たとえば、ユーザは、当該プリント設定画面２３０を用いて、設定項目「カラー」、設定項目「片面／両面」および設定項目「部数」等を設定（入力）することが可能である。
【０２０５】
また、当該プリント設定画面２３０には、当該複数の設定項目のうちの基本設定項目以外の設定項目（詳細設定項目）に関する設定画面（詳細設定画面４００）へと遷移するためのボタン（詳細設定ボタン）２３１〜２３３もが設けられている。
【０２０６】
詳細設定ボタン２３１は、詳細設定項目「ページ割付」に関する設定画面（ページ割付設定画面）へと遷移するためのボタンであり、詳細設定ボタン２３２は、詳細設定項目「開き方向」に関する設定画面（開き方向設定画面）へと遷移するためのボタンである。また、詳細設定ボタン２３３は、詳細設定項目「ページ印字」に関する設定画面（ページ印字設定画面）へと遷移するためのボタンである。
【０２０７】
たとえば、プリント設定画面２３０（図２５）において詳細設定ボタン２３１（「ページ割付」）が選択されると、外部端末５０は、「ページ割付」ボタン２５４の選択操作が行われた旨の操作情報と遷移後の画面に関するＨＴＴＰリクエストとをＭＦＰ１０に送信する。
【０２０８】
そして、ＭＦＰ１０は、当該操作情報に基づき、設定項目「ページ割付」に関する詳細設定画面４００（ページ割付設定画面４３０（図２８））への遷移指令を受け付けるとともに、当該ＨＴＴＰリクエストに応答して、当該ページ割付設定画面４３０を生成する。
【０２０９】
詳細には、ＭＦＰ１０は、当該ページ割付設定画面４３０の表示用データに基づいて、設定画面群Ｇ１のうち、遷移先の詳細設定画面４００に表示すべき詳細設定項目に対応する所定の設定項目を有する一の設定画面５００の画面ＩＤと、当該一の設定画面５００における当該所定の設定項目に関する設定領域６００の領域指定情報とを取得する。ここでは、遷移先の詳細設定画面４００（ページ割付設定画面４３０）に表示すべき詳細設定項目「ページ割付」に対応する設定項目「ページ集約」を有するページ集約設定画面５３０（図２６）の画面ＩＤと当該ページ集約設定画面５３０における設定領域６００の領域指定情報（座標情報等）とが取得される。
【０２１０】
そして、ＭＦＰ１０は、取得した画面ＩＤに基づいて当該ページ集約設定画面５３０（図２６）を設定画面群Ｇ１の中から特定する（図２４も参照）。なお、当該ページ集約設定画面５３０は、ＭＦＰ１０のコピー機能に関する複数の設定画面のうちの一の設定画面であり、ＭＦＰ１０の操作表示部４０にて表示される設定画面である。
【０２１１】
ページ集約設定画面５３０が特定されると、ＭＦＰ１０は、取得した当該領域指定情報（座標情報）に基づいて、詳細設定項目「ページ割付」に対応する設定項目「ページ集約」に関する設定領域６００（図２６）を抽出し、抽出した設定領域６００に基づく抽出画像６５０を生成する（図２４も参照）。
【０２１２】
そして、ＭＦＰ１０は、設定領域６００の画像データ（抽出画像６５０の画像データ）を補完情報として取得し、取得した抽出画像６５０を基本設定画面２００（ここではプリント設定画面２３０）内の一部の領域（合成領域３３０（図２７））に配置した合成画面を、詳細設定画面４００（ページ割付設定画面４３０）として生成する（図２４も参照）。
【０２１３】
その後、ＭＦＰ１０は、生成した詳細設定画面４００（ページ割付設定画面４３０）を外部端末５０に表示させる（図２８参照）。詳細には、ＭＦＰ１０は、当該ページ割付設定画面４３０のＨＴＭＬデータを外部端末５０に送信し、外部端末５０は、当該ＨＴＭＬデータに基づいてページ割付設定画面４３０を表示部５６ｂに表示する。
【０２１４】
＜４．第４実施形態＞
第４実施形態は、第１実施形態の変形例である。以下では、第１実施形態との相違点を中心に説明する。
【０２１５】
上記第１実施形態では、表示システム１が、ＭＦＰ１０内に２つのデバイス（サーバデバイス２０および画像形成デバイス３０）を備えて構成されており、当該ＭＦＰ１０が表示制御装置として動作している。また、上記第１実施形態では、画像形成デバイス３０にて管理されている設定画面群が、設定画面群Ｇ１として例示されており、サーバデバイス２０にて管理されている設定画面群であってサーバデバイス２０を用いて画像形成デバイス３０に関する設定操作を行うための設定画面群が、設定画面群Ｇ２として例示されている。
【０２１６】
これに対して、この第４実施形態では、表示システム１が、ＭＦＰ１０（旧来のＭＦＰ）と外部端末５０とを備えて構成され、当該外部端末５０が表示制御装置として動作する。また、この第４実施形態では、ＭＦＰ１０の操作表示部４０にて表示される設定画面群が設定画面群Ｇ１として例示され、外部端末５０にて実行可能なアプリケーションソフトウエアプログラム（たとえばプリンタドライバ）にて表示される設定画面群が、設定画面群Ｇ２として例示される。
【０２１７】
図２９は、第４実施形態に係る外部端末５０の機能ブロックを示す図である。
【０２１８】
第４実施形態に係る外部端末５０は、第３実施形態に係る外部端末５０の構成（図２３）に加えて、生成部５９ｅと取得部５９ｇとをさらに備えている。当該外部端末５０における生成部５９ｅおよび取得部５９ｇは、第１実施形態に係るサーバデバイス２０における生成部２９ｅおよび取得部２９ｇ（図４）と同様の動作を実行する。なお、第４実施形態に係るＭＦＰ１０は、第２（第３）実施形態に係るＭＦＰ１０（図１８）と同様の動作を実行する。
【０２１９】
外部端末５０には、ＭＦＰ１０に関する設定操作を行うことが可能なアプリケーションソフトウエアプログラム（たとえばプリンタドライバ）が予めインストールされている。
【０２２０】
当該プリンタドライバにおいて、当該設定画面群Ｇ２のうちの一部の設定画面（基本設定画面２００）の表示用データは、設定画面群Ｇ２以外の設定画面群に依拠せずに表示できるように（自己完結的に）準備されている。一方、プリンタドライバにおいて、他の設定画面（詳細設定画面４００）の表示用データは、自己完結的には（設定画面群Ｇ２以外の設定画面群に依拠せずに表示できるようには）準備されていない。
【０２２１】
図３０は、第４実施形態に係る詳細設定画面４００の生成等に関する概略を示す概念図である。
【０２２２】
第４実施形態では、基本的には上記第１実施形態と同様の動作が行われる。ただし、第４実施形態では、第１実施形態に係る画像形成デバイス３０の動作はＭＦＰ１０で実行され、第１実施形態に係るサーバデバイス２０の動作は外部端末５０で実行される。また、この第４実施形態では、設定画面群Ｇ２の各設定画面２００，４００は、外部端末５０（プリンタドライバ）にて表示される。
【０２２３】
以下、第４実施形態に係る動作について説明する。なお、ここでは、設定画面群Ｇ２の基本設定画面２００（詳細にはプリント設定画面２４０（図３１））が外部端末５０にて表示されている場合において、詳細設定ボタンが押下された状況を想定する。
【０２２４】
図３１は、プリント設定画面２４０（２００）を示す図である。当該プリント設定画面２４０は、外部端末５０のプリンタドライバにて表示される設定画面である。当該プリント設定画面２４０では、プリントジョブにおける複数の設定項目のうちの一部の設定項目（基本設定項目）（「カラー」等）に関する設定を行うことが可能である。
【０２２５】
また、当該プリント設定画面２３０には、当該複数の設定項目のうちの基本設定項目以外の設定項目（詳細設定項目）に関する設定画面（詳細設定画面４００）へと遷移するためのボタン（詳細設定ボタン）２４１〜２４３もが設けられている。
【０２２６】
たとえば、詳細設定ボタン２４１は、詳細設定項目「ページ割付」に関する設定画面（ページ割付設定画面）へと遷移するためのボタンであり、詳細設定ボタン２４２は、詳細設定項目「開き方向」に関する設定画面（開き方向設定画面）へと遷移するためのボタンである。また、詳細設定ボタン２４３は、詳細設定項目「ページ印字」に関する設定画面（ページ印字設定画面）へと遷移するためのボタンである。
【０２２７】
たとえば、プリント設定画面２３０（図３１）にて詳細設定ボタン２４１（「ページ割付」）が選択されると、外部端末５０は、ページ割付設定画面４４０（詳細設定画面４００）への遷移指令を受け付ける。そして、外部端末５０は、補完情報（ここでは、抽出画像６５０の画像データ）をＭＦＰ１０から取得する。
【０２２８】
詳細には、まず、外部端末５０は、当該補完情報の送信要求と設定画面群Ｇ１のページ集約設定画面５３０（図２６）の画面ＩＤと設定領域６００の領域指定情報とをＭＦＰ１０に送信する（図３０も参照）。
【０２２９】
そして、ＭＦＰ１０は、外部端末５０から取得した画面ＩＤに基づいて、ページ集約設定画面５３０（図２６）を設定画面群Ｇ１の中から特定する（図３０も参照）。ページ集約設定画面５３０が特定されると、ＭＦＰ１０は、外部端末５０から取得した領域指定情報（座標情報等）に基づいて、詳細設定項目「ページ割付」に対応する設定項目「ページ集約」に関する設定領域６００（図２６）を抽出し、抽出した設定領域６００に基づく抽出画像６５０を生成する（図３０も参照）。そして、ＭＦＰ１０は、生成した抽出画像６５０の画像データを補完情報として外部端末５０に送信する。
【０２３０】
外部端末５０は、当該抽出画像６５０をＭＦＰ１０から取得（受信）する（図３０も参照）と、取得した抽出画像６５０を基本設定画面２００（ここではプリント設定画面２４０）内の一部の領域（合成領域３４０（図３２））に配置した合成画面を、詳細設定画面４００（ページ割付設定画面４４０）として生成する。そして、外部端末５０は、生成したページ割付設定画面４４０（図３３）を表示部５６ｂに表示する（図３０も参照）。
【０２３１】
＜５．変形例等＞
以上、この発明の実施の形態について説明したが、この発明は上記説明した内容のものに限定されるものではない。
【０２３２】
＜組合せ禁止選択肢に関する変形例＞
たとえば、上記各実施形態等において、さらに、設定画面群Ｇ１から特定された設定画面５００における設定項目の複数の選択肢の中に「組合せ禁止選択肢」（次述）が存在する場合、当該組合せ禁止選択肢の表示態様が、選択不可状態を示す表示態様に変更されて、抽出画像６５０（図３５）が生成されてもよい。当該「組合せ禁止選択肢」は、設定画面群Ｇ２を用いてユーザによって設定された設定値と組み合わせて設定することが禁止されている選択肢である。
【０２３３】
たとえば、第１実施形態において、スキャンジョブに関するスキャン設定画面２２０（２００）において、基本設定項目「カラー」に関してユーザによって「白黒２値」が設定された場合（図３４参照）を想定する。
【０２３４】
このような場合、この改変例では、図３５に示されるように、詳細設定項目「ファイル形式」に関する詳細設定画面４００（ファイル形式設定画面４２０）において、当該詳細設定項目「ファイル形式」における選択肢「Ｃｏｍｐａｃｔ  ＰＤＦ」（コンパクトＰＤＦ）が選択不可状態を示す表示態様（たとえばグレーアウト表示）で表示される。なお、「コンパクトＰＤＦ」は、スキャン画像内の文字領域と非文字領域（写真領域等）とを分離し、非文字領域を比較的高い圧縮率で圧縮するとともに文字領域を比較的低い圧縮率で圧縮することによって生成されるＰＤＦファイルである。
【０２３５】
詳細には、基本設定画面２００の表示中において詳細設定画面４００（ここではファイル形式設定画面４２０）への遷移指令が受け付けられると、サーバデバイス２０は、補完情報の送信要求とともに、基本設定画面２００における基本設定項目に関してユーザによって設定された設定値を画像形成デバイス３０に通知する。ここでは、基本設定項目「カラー」に関してユーザによって設定された設定値「白黒２値」が、補完情報の送信要求とともに画像形成デバイス３０からサーバデバイス２０に送信される。
【０２３６】
そして、画像形成デバイス３０は、当該補完情報の送信要求を取得すると、第１実施形態と同様にして、設定画面群Ｇ１の中からファイル形式設定画面５２０（図９）を特定する。また、画像形成デバイス３０は、設定画面群Ｇ２を用いてユーザによって設定された設定値（ここでは基本設定項目「カラー」に関する設定値「白黒２値」）を取得すると、当該ファイル形式設定画面５２０における設定項目「ファイル形式」の複数の選択肢（設定項目「ファイル形式」に関する設定内容の候補群（設定値候補群））の中に、組合せ禁止選択肢が存在するか否か、を判定する。ここでは、設定項目「ファイル形式」における選択肢「コンパクトＰＤＦ」と設定項目「カラー」における選択肢「白黒２値」とを組み合わせて設定することが禁止されているものとする。この場合、設定項目「ファイル形式」に関する複数の選択肢の中に組合せ禁止選択肢（ここでは「コンパクトＰＤＦ」）が存在する旨が判定される。
【０２３７】
当該複数の選択肢の中に組合せ禁止選択肢が存在する場合、画像形成デバイス３０は、当該組合せ禁止選択肢（「コンパクトＰＤＦ」）の表示態様を選択不可状態を示す表示態様に変更して、抽出画像６５０を生成する。詳細には、画像形成デバイス３０は、当該ファイル形式設定画面５２０から設定領域６００（図１２）を抽出するとともに、抽出した設定領域６００における組合せ禁止選択肢（「コンパクトＰＤＦ」）の表示態様をグレーアウト表示に変更して、抽出画像６５０を生成する。
【０２３８】
そして、画像形成デバイス３０は、生成した抽出画像６５０の画像データを補完情報としてサーバデバイス２０に送信し、サーバデバイス２０は、当該抽出画像６５０を基本設定画面２００に配置した合成画面を、詳細設定画面４００（ファイル形式設定画面４２０）として生成して表示する（図３５参照）。
【０２３９】
このように、設定画面群Ｇ１から特定された設定画面５００における設定項目に関する複数の選択肢の中に組合せ禁止選択肢が存在する場合、当該組合せ禁止選択肢の表示態様が、選択不可状態を示す表示態様に変更されて、抽出画像６５０が生成されてもよい。
【０２４０】
なお、ここでは、この改変例に係る思想（組合せ禁止選択肢の表示態様の変更に関する思想）が上記第１実施形態に適用されているが、これに限定されず、この改変例に係る思想が他の実施形態等に適用されてもよい。
【０２４１】
＜設定領域６００の変倍に関する第１の変形例＞
また、上記各実施形態等においては、設定領域６００の画素数サイズＰ２を合成領域３００の画素数サイズＰ１に合わせるように当該設定領域６００が変倍されて抽出画像６５０が生成されているが、これに限定されない。たとえば、設定領域６００内の文字が基本設定画面２００内の文字の文字サイズ（フォントサイズ）と同じ文字サイズを有するように当該設定領域６００が変倍されて抽出画像６５０が生成されてもよい。なお、ここでは、この改変例の思想が第１実施形態に適用される態様を例示する。
【０２４２】
図３８は、この改変例に係る基本設定画面２００（スキャンジョブに関する基本設定画面２５０）を示す図である。この基本設定画面２５０内の文字の文字サイズ（フォントサイズ）は、１８ポイント（ｐｔ）である。当該基本設定画面２５０の表示中において詳細設定画面４００への遷移指令が受け付けられた場合、サーバデバイス２０は、（合成領域３００の画素数サイズＰ１ではなく、）基本設定画面２５０内の文字の文字サイズ（詳細には、合成領域３００以外の領域に存在する文字の文字サイズ）（ここでは１８ポイント）を画像形成デバイス３０に通知する。なお、サーバデバイス２０においては、当該基本設定画面２００（２５０）内の文字の文字サイズが管理されている。
【０２４３】
画像形成デバイス３０は、基本設定画面２５０内の文字の文字サイズ（ここでは１８ポイント）をサーバデバイス２０から取得すると、設定領域６００内の文字が基本設定画面２５０内の文字の文字サイズと同じ文字サイズ（フォントサイズ）を有するように当該設定領域６００を変倍して、抽出画像６５０を生成する。なお、画像形成デバイス３０においては、設定画面群Ｇ１の設定画面５００内の文字の文字サイズが管理されている。
【０２４４】
たとえば、抽出した設定領域６００内の文字の文字サイズが１４ポイントである場合（図３９参照）、画像形成デバイス３０は、基本設定画面２５０内の文字の文字サイズと設定領域６００内の文字の文字サイズとの比率Ｒ（＝１８／１４）に基づいて、抽出された設定領域６００（設定領域６００の画像）を拡大して抽出画像６５０を生成する。
【０２４５】
一方、たとえば設定領域６００内の文字サイズが２２ポイントである場合（不図示）、画像形成デバイス３０は、基本設定画面２５０内の文字の文字サイズと設定領域６００内の文字の文字サイズとの比率Ｒ（＝１８／２２）に基づいて、抽出された設定領域６００（設定領域６００の画像）を縮小して抽出画像６５０を生成する。
【０２４６】
そして、画像形成デバイス３０は、生成された抽出画像６５０をサーバデバイス２０に送信し、サーバデバイス２０は、当該抽出画像６５０を基本設定画面２００内の一部の領域（合成領域３００）に配置した合成画面を、詳細設定画面４９０（４００）（図４０参照）として生成して表示する。
【０２４７】
このように、設定領域６００内の文字が基本設定画面２００内の文字の文字サイズと同じ文字サイズを有するように当該設定領域６００が変倍されて抽出画像６５０が生成されてもよい。
【０２４８】
なお、ここでは、この改変例に係る思想（基本設定画面２００内の文字の文字サイズに応じた設定領域６００の変倍に関する思想）が上記第１実施形態に適用されているが、これに限定されず、この改変例に係る思想が他の実施形態等に適用されてもよい。
【０２４９】
＜設定領域６００の変倍に関する第２の変形例＞
また、上記第１、第４実施形態等では、設定領域６００を抽出する装置（抽出装置）において当該設定領域６００の画像が変倍され、変倍後の画像が、詳細設定画面４００を生成する装置（生成装置）に送信されているが、これに限定されない。たとえば、設定領域６００の画像が、設定領域６００の抽出装置では変倍されずに詳細設定画面４００の生成装置に送信され、当該生成装置において当該設定領域６００の画像が変倍されてもよい。
【０２５０】
詳細には、第１実施形態において、画像形成デバイス３０（設定領域６００を抽出するデバイス）ではなく、サーバデバイス２０（詳細設定画面４００を生成するデバイス）にて、当該設定領域６００の画像（抽出画像６５０）が変倍されてもよい。
【０２５１】
具体的には、画像形成デバイス３０は、補完情報の送信要求に応答して、設定領域６００を抽出するとともに、抽出した設定領域６００を変倍せずに（そのままの大きさで）抽出画像６５０を生成する。そして、画像形成デバイス３０は、生成した抽出画像６５０の画像データ（設定領域６００の画像データ）をサーバデバイス２０に送信する。
【０２５２】
サーバデバイス２０は、画像形成デバイス３０から受信した抽出画像６５０の画素数サイズＰ３（＝設定領域６００の画素数サイズＰ２）（図１２）と合成領域３００の画素数サイズＰ１（図１３）とを比較し、比較結果に応じて抽出画像６５０を変倍する。詳細には、サーバデバイス２０は、抽出画像６５０の画素数サイズＰ３を合成領域３００の画素数サイズＰ１に合わせるように当該抽出画像６５０を変倍する。そして、サーバデバイス２０は、変倍後の抽出画像６５０を合成領域３００に配置した合成画面を、詳細設定画面４００として生成する。
【０２５３】
このように、画像形成デバイス３０ではなく、サーバデバイス２０において、設定領域６００の画像（抽出画像６５０）が変倍されてもよい。
【０２５４】
また、第４実施形態において、ＭＦＰ１０（設定領域６００を抽出する装置）ではなく、外部端末５０（詳細設定画面４００を生成する装置）にて、当該設定領域６００の画像（抽出画像６５０）が変倍されてもよい。詳細には、ＭＦＰ１０では、設定領域６００が変倍されずに抽出画像６５０が生成され、外部端末５０において、当該抽出画像６５０が変倍されて詳細設定画面４００が生成されてもよい。
【０２５５】
＜抽出画像６５０のスクロール表示に関する変形例＞
さらに、上記各実施形態においては、設定領域６００の画素数サイズＰ２が合成領域３００の画素数サイズＰ１よりも大きいあるいは小さい場合、設定領域６００を変倍（縮小あるいは拡大）して生成された抽出画像６５０が合成領域３００に配置されている。しかしながら、本願発明は、これに限定されない。
【０２５６】
たとえば、設定領域６００の画素数サイズＰ２が合成領域３００の画素数サイズＰ１よりも大きい場合であっても、当該設定領域６００は縮小されず、詳細設定画面４００において、合成領域３００に配置された抽出画像６５０がスクロール表示されるようにしてもよい。なお、ここでは、この改変例の思想が第１実施形態に適用される態様を例示するが、これに限定されず、この改変例に係る思想が他の実施形態に適用されてもよい。
【０２５７】
詳細には、画像形成デバイス３０は、設定領域６００を抽出するとともに、当該設定領域６００を変倍せずに（そのままの画素数サイズで）抽出画像６５０を生成する。そして、画像形成デバイス３０は、生成した抽出画像６５０の画像データ（設定領域６００の画像データ）を補完情報としてサーバデバイス２０に送信する。
【０２５８】
サーバデバイス２０は、抽出画像６５０を取得すると、合成領域３００の所定方向における画素数サイズＰ１（ここでは縦方向の画素数サイズ）（図１３）と抽出画像６５０の当該所定方向（ここでは縦方向）における画素数サイズＰ３（＝設定領域６００の画素数サイズＰ２）（図１２）とを比較する。そして、取得された抽出画像６５０の縦方向における画素数サイズＰ３が合成領域３００の縦方向における画素数サイズＰ１よりも大きい場合、サーバデバイス２０は、当該抽出画像６５０を合成領域３００に配置するとともに、当該抽出画像６５０を合成領域３００内にて縦方向にスクロールさせるスクロールバー６９０（図４１）を有する合成画面を、詳細設定画面４００（４８０）として生成する。なお、設定画面群Ｇ２の詳細設定画面４８０の表示用データでは、当該スクロールバー６９０の表示要素情報（大きさおよび配置位置等）が指定されている。
【０２５９】
このように、詳細設定画面４００において、合成領域３００に配置された抽出画像６５０がスクロール表示されるようにしてもよい。
【０２６０】
＜設定領域６００における選択肢の配置レイアウトの変更に関する変形例＞
また、上記各実施形態等において、さらに、設定領域６００における複数の選択肢が当該設定領域６００にて縦方向と横方向との双方向に配列されている場合、当該複数の選択肢を当該双方向のうちの一方向（たとえば縦方向）のみに配列した配置レイアウトに変更されて、抽出画像６５０が生成されてもよい。なお、ここでは、この改変例の思想が第１実施形態に適用される態様を例示するが、これに限定されず、この改変例に係る思想が他の実施形態等に適用されてもよい。
【０２６１】
たとえば、設定画面群Ｇ１のファイル形式設定画面５２０（図９）における設定項目「ファイル形式」の複数の選択肢（ここでは７つの選択肢５２１〜５２７）は、当該ファイル形式設定画面５２０（設定領域６００（図１２））において縦方向と横方向との双方向（縦２列）に配列されている（並べて配置されている）。詳細には、当該７つの選択肢５２１〜５２７のうち４つの選択肢５２１〜５２４は（左から）１列目に配置されており、残りの選択肢５２５〜５２７は（左から）２列目に配置されている。
【０２６２】
このような場合、画像形成デバイス３０は、抽出画像６５０の生成に際して、設定領域６００内の選択肢の配置レイアウトを、当該複数の選択肢５２１〜５２７が縦方向のみ（縦１列）に配列された配置レイアウトに変更して、抽出画像６５０を生成する（図３６参照）。詳細には、画像形成デバイス３０は、当該７つの選択肢のうち２列目に配置されている選択肢５２５〜５２７を１列目の選択肢の末尾（選択肢５２４の下部）に移動させて、抽出画像６５０を生成する。
【０２６３】
そして、画像形成デバイス３０は、生成した抽出画像６５０の画像データ（設定領域６００の画像データ）を補完情報としてサーバデバイス２０に送信し、サーバデバイス２０は、当該抽出画像６５０を基本設定画面２００に配置した合成画面を、詳細設定画面４００として生成して表示する。
【０２６４】
ここにおいて、この改変例（設定領域６００における選択肢の配置レイアウトの変更に関する変形例）は、上記の「抽出画像６５０のスクロール表示に関する変形例」と組み合わされることがより好ましい。
【０２６５】
詳細には、サーバデバイス２０は、選択肢５２１〜５２７を縦１列に配置した配置レイアウトを有する抽出画像６５０を画像形成デバイス３０から取得すると、上述のように、合成領域３００の所定方向における画素数サイズ（縦方向の画素数サイズＰ１）と抽出画像６５０の当該所定方向における画素数サイズ（縦方向の画素数サイズＰ３）とを比較する。そして、取得された抽出画像６５０の縦方向における画素数サイズＰ３が合成領域３００の縦方向における画素数サイズＰ１よりも大きい場合、サーバデバイス２０は、当該抽出画像６５０を合成領域３００内にて縦方向にスクロールさせるスクロールバー６９０（図３７）を有する合成画面を、詳細設定画面４００（４５０）として生成する（図３７参照）。
【０２６６】
＜詳細設定画面４００内の抽出画像６５０への押下操作に関する変形例＞
また、上記各実施形態等においては、詳細設定画面４００内の抽出画像６５０内の押下操作が受け付けられた場合、当該抽出画像６５０内の押下位置情報がＭＦＰ１０（画像形成デバイス３０）に通知されているが、これに限定されない。たとえば、詳細設定画面４００内の抽出画像６５０内の押下操作が受け付けられた場合、当該抽出画像６５０内の複数の選択肢のうちユーザによって選択された選択肢に割り当てられた識別情報がＭＦＰ１０（画像形成デバイス３０）に通知されてもよい。なお、ここでは、第１実施形態において、この改変例に係る思想が適用される場合について例示するが、これに限定されず、この改変例に係る思想が他の実施形態等に適用されてもよい。
【０２６７】
詳細には、画像形成デバイス３０は、設定領域６００における設定項目（たとえば「ファイル形式」）に関する複数の選択肢５２１〜５２７（当該設定項目「ファイル形式」に関する設定内容の候補群）のそれぞれに、各選択肢を識別（特定）するための識別情報（選択肢識別情報）を割り当てて、抽出画像６５０を生成する。そして、画像形成デバイス３０は、抽出画像６５０の画像データ（設定領域６００の画像データ）を補完情報としてサーバデバイス２０に送信するとともに、各選択肢の領域情報（範囲情報）（たとえば座標情報）をも画像形成デバイス３０に送信する。
【０２６８】
サーバデバイス２０は、当該抽出画像６５０を合成領域３００に配置して詳細設定画面（ここでは詳細設定画面４２０（図１５））を生成する。
【０２６９】
その後、生成された詳細設定画面４２０（図１５）において、抽出画像６５０内の詳細設定項目「ファイル形式」に関する一の選択肢（たとえば「ＰＤＦ」）の選択操作が受け付けられた場合には、次のような動作が行われる。
【０２７０】
詳細には、サーバデバイス２０は、ユーザの押下操作位置の位置情報と各選択肢の範囲情報とに基づいて、ユーザによって押下された選択肢に割り当てられている識別情報を取得するとともに、取得した識別情報を画像形成デバイス３０に通知する。より詳細には、ユーザの押下操作位置が或る選択肢の範囲内である場合、サーバデバイス２０は、当該或る選択肢に割り当てられている識別情報を取得するとともに、取得した識別情報を画像形成デバイス３０に通知する。
【０２７１】
画像形成デバイス３０は、当該識別情報に基づいて、設定項目「ファイル形式」に関してユーザによって設定された設定値（ここでは「ＰＤＦ」）を取得する。詳細には、画像形成デバイス３０は、サーバデバイス２０から取得された識別情報に対応する選択肢をユーザの設定値（「ＰＤＦ」）として取得する。
【０２７２】
このように、抽出画像６５０内の複数の選択肢のうちユーザによって選択された選択肢に割り当てられた識別情報が、ＭＦＰ１０（ここでは画像形成デバイス３０）に通知されてもよい。
【０２７３】
＜補完情報に関する変形例＞
また、上記各実施形態においては、設定画面群Ｇ１の一の設定画面５００内の設定領域６００の画像データ（抽出画像６５０の画像データ）が、補完情報（詳細設定画面４００における不完全表示要素を補完する情報）として常に取得されているが、これに限定されない。たとえば、当該設定領域６００の画像データが補完情報として取得される場合と、当該一の設定画面５００における設定項目に関する文字列情報（文字列で構成されるデータ（たとえばテキストデータ））が補完情報として取得される場合とが、当該設定領域６００にて設定可能な設定項目に応じて切り替えられるようにしてもよい。なお、ここでは、第１実施形態において、この改変例に係る思想が適用される場合について例示するが、これに限定されず、この改変例に係る思想が他の実施形態に適用されてもよい。
【０２７４】
具体的には、この改変例に係る設定画面群Ｇ２の詳細設定画面４００の表示用データでは、次のような情報が画面作成者によって指定されている。
【０２７５】
詳細には、詳細設定画面４００の表示用データでは、第１実施形態と同様に、設定画面群Ｇ１のうち、詳細設定画面４００にて表示すべき設定項目に対応する設定項目を有する一の設定画面５００の画面ＩＤと、設定領域６００（当該一の設定画面５００内における指定領域）の領域情報（座標位置および大きさ）とが指定されている。
【０２７６】
また、この改変例に係る詳細設定画面４００の表示用データでは、画像形成デバイス３０から画像データが補完情報として取得される場合は合成領域３００（図１３）に当該画像データの画像（抽出画像６５０）を配置すべき旨、が規定されている。
【０２７７】
さらに、この改変例に係る詳細設定画面４００の表示用データでは、画像形成デバイス３０から文字列情報が補完情報として取得される場合は詳細設定画面４００における設定項目の項目名表示枠３９０（図４３）と切替用コントロール３８０（図４３）とを合成領域３００内に配置すべき旨、が規定されている。また、画像形成デバイス３０から文字列情報が補完情報として取得される場合は画像形成デバイス３０からの文字列情報に基づく画像（文字画像）を当該項目名表示枠３９０内の配置領域３５０（図４３）に配置すべき旨、もが規定されている。
【０２７８】
なお、当該切替用コントロール３８０は、有効状態（たとえば「オン」状態）と無効状態（たとえば「オフ」状態）との２つの設定値候補（選択肢）の切替操作（ユーザの切替操作）を受け付けるユーザインターフェース部品（コントロール）である。当該切替用コントロール３８０は、当該切替操作に応じて詳細設定画面４００における設定項目が当該２つの設定値候補のいずれに設定されているかを示すことが可能である。なお、ここでは、切替用コントロール３８０として、切替用操作部材のスライド移動に応じて有効状態（オン状態）と無効状態（オフ状態）とを切り替える切替スイッチ（スイッチボタン）（図４３参照）が例示される。ただし、これに限定されず、チェック印の有無に応じて有効状態（オン状態）と無効状態（オフ状態）とを切り替えるチェックボックスなどが切替用コントロール３８０として用いられてもよい。
【０２７９】
後述するように、この改変例では、当該画像データと文字列情報とのいずれが補完情報として画像形成デバイス３０から取得されるかに応じて、サーバデバイス２０において、２種類の詳細設定画面４００（４２０（図１３），４６０（図４３））のいずれかが生成される。以下、この改変例に係る動作について、詳述する。
【０２８０】
具体的には、サーバデバイス２０は、第１実施形態と同様にして、補完情報の送信要求を画像形成デバイス３０に送信する（ステップＳ１７（図１０））。また、サーバデバイス２０は、設定画面群Ｇ１のうち、詳細設定画面４００にて表示すべき設定項目に対応する設定項目を有する一の設定画面５００の画面ＩＤおよび設定領域６００の領域情報をも画像形成デバイス３０に送信する。
【０２８１】
図４５は、この改変例に係る画像形成デバイス３０の動作を示すフローチャートである。この改変例では、画像形成デバイス３０は、図１１の動作に代えて、図４５の動作を実行する。
【０２８２】
当該画像形成デバイス３０は、第１実施形態と同様に、補完情報の送信要求に応答して、サーバデバイス２０からの画面ＩＤ（詳細設定画面４００に表示すべき設定項目に対応する所定の設定項目を有する一の設定画面５００の画面ＩＤ）に基づいて、当該画面ＩＤを有する一の設定画面５００を設定画面群Ｇ１の中から特定する（ステップＳ３１）。
【０２８３】
そして、画像形成デバイス３０は、当該所定の設定項目が「二者択一式設定項目」（次述）であるか否か、を判定する（ステップＳ４１）。当該二者択一式設定項目は、２つの設定値候補（詳細には、「オン」と「オフ」との２つの設定値候補）のいずれかをユーザの切替操作に応じて択一的に設定可能な設定項目である。
【０２８４】
詳細には、画像形成デバイス３０は、当該一の設定画面５００の設定領域６００にて設定可能な設定項目（設定領域６００内の設定項目）を特定するとともに、特定された設定項目が二者択一式設定項目であるか否か、を判定する。
【０２８５】
より詳細には、画像形成デバイス３０においては、設定画面群Ｇ１の各設定画面５００内のいずれの領域にいずれの表示要素が配置されているかを示す画面データが格納されている。また、画像形成デバイス３０においては、ＭＦＰ１０（画像形成デバイス３０）に関する各設定項目と当該各設定項目の設定値候補（選択肢）とが関連付けて格納されている。画像形成デバイス３０は、これらの情報に基づいて、設定領域６００にて設定可能な設定項目を特定するとともに、特定された設定項目が二者択一式設定項目であるか否か、を判定する。
【０２８６】
たとえば、「ファイル形式」設定画面５２０（図１２）が設定画面群Ｇ１の中から特定された場合、設定項目「ファイル形式」の設定用表示要素（選択肢５２１〜５２７）が設定領域６００内に配置されていることに基づいて、当該設定項目「ファイル形式」が、設定領域６００にて設定可能な設定項目として特定される。さらに、当該設定項目「ファイル形式」が「ＰＤＦ」と「ＴＩＦＦ」と「ＸＰＳ」と「ＰＰＴＸ」と「Ｃｏｍｐａｃｔ  ＰＤＦ」と「ＪＰＥＧ」と「ＤＯＣＸ」との７つの設定値候補（選択肢）を有することに基づいて、当該設定項目「ファイル形式」は二者択一式設定項目でない旨がステップＳ４１にて判定される。
【０２８７】
設定領域６００内の設定項目が二者択一式設定項目でない旨がステップＳ４１にて判定されると、処理はステップＳ３２へと進み、第１実施形態と同様にして、設定領域６００の画像データ（抽出画像６５０の画像データ）が、補完情報として画像形成デバイス３０からサーバデバイス２０に送信される（ステップＳ３２，Ｓ３３）。
【０２８８】
一方、たとえば「ＯＣＲ処理等」設定画面５４０（図４２）が設定画面群Ｇ１の中から特定された場合は、次述するように、設定領域６００にて設定可能な設定項目が二者択一式設定項目である旨がステップＳ４１にて判定される。
【０２８９】
図４２は、設定画面群Ｇ１における「ＯＣＲ処理等」設定画面５４０（５００）を示す図である。「ＯＣＲ処理等」設定画面５４０では、設定項目「ＯＣＲ処理」と設定項目「ファイル名自動生成」と設定項目「アウトライン化」と設定項目「ボックス同時保存」との４つの設定項目を設定することが可能である。また、当該４つの設定項目は、それぞれ、「オン（有効）」と「オフ（無効）」との２つの設定値候補（選択肢）のいずれかをユーザの切替操作に応じて択一的に設定可能な設定項目（二者択一式設定項目）である。
【０２９０】
「ＯＣＲ処理等」設定画面５４０（図４２）が設定画面群Ｇ１の中から特定された場合、画像形成デバイス３０は、設定領域６００内に当該４つの設定項目の項目名表示要素５４１〜５４４（図４２）が配置されていることに基づいて、当該４つの設定項目を、設定領域６００にて設定可能な設定項目として取得する。そして、当該４つの設定項目のそれぞれが「オン」と「オフ」との２つの設定値候補（のみ）を有することに基づいて、当該４つの設定項目のそれぞれが二者択一式設定項目である旨がステップＳ４１にて判定される。そして、処理はステップＳ４２へと進む。
【０２９１】
ステップＳ４２においては、画像形成デバイス３０は、当該二者択一式設定項目（ここでは４つの設定項目）の文字列情報（詳細には、設定項目の項目名を示す項目名情報）を抽出する。そして、画像形成デバイス３０は、抽出された文字列情報（項目名情報）を補完情報としてサーバデバイス２０に送信する（ステップＳ４３）。また、画像形成デバイス３０は、設定領域６００にて設定可能な設定項目の個数（ここでは４個）を示す項目数情報および各設定項目の現在の設定値（ここでは初期値（デフォルト値））を示す現在値情報をも、補完情報としてサーバデバイス２０に送信する。
【０２９２】
そして、サーバデバイス２０においては、補完情報が取得される（ステップＳ１８（図１０））と、詳細設定画面４００が生成されて表示される（ステップＳ１９）。
【０２９３】
ただし、上述したように、この改変例では、抽出画像６５０の画像データと文字列情報とのいずれが補完情報として画像形成デバイス３０から取得されるかに応じて、２種類の詳細設定画面４００（４２０（図１３），４６０（図４３））のいずれかが生成される。
【０２９４】
たとえば、設定領域６００（抽出画像６５０）の画像データが補完情報として画像形成デバイス３０から取得される場合は、第１実施形態と同様にして、サーバデバイス２０は、当該画像データに基づく画像（抽出画像６５０）を合成領域３００（３１０）に配置した合成画面を、詳細設定画面４００（４２０）として生成する（ステップＳ１９）。
【０２９５】
一方、文字列情報（項目名情報）が補完情報として画像形成デバイス３０から取得される場合は、サーバデバイス２０は、詳細設定画面４００の表示用データに基づいて、次のような詳細設定画面４００（４６０）（図４４）をステップＳ１９にて生成する。
【０２９６】
詳細には、文字列情報が補完情報として画像形成デバイス３０から取得される場合は、サーバデバイス２０は、当該文字列情報に基づく画像（文字画像）を生成するとともに、生成された文字画像とサーバデバイス２０にて予め準備された切替用コントロール３８０とを合成領域３６０内に配置した合成画面を、詳細設定画面４６０（図４４）として生成する。
【０２９７】
より詳細には、サーバデバイス２０は、画像形成デバイス３０からの補完情報に含まれる項目数情報に基づいて、「ＯＣＲ処理等」設定画面５４０（図４２）における設定項目の項目数と同じ個数の項目名表示枠３９０を合成領域３６０内に配置する。そして、サーバデバイス２０は、文字列情報に基づき生成された文字画像を当該項目名表示枠３９０内の配置領域３５０に配置する。ここでは、４つの項目名表示枠３９０（３９１〜３９４）が合成領域３６０内に配置されるとともに、各文字画像（「ＯＣＲ処理」、「ファイル名自動生成」、「アウトライン化」および「ボックス同時保存」）が各項目名表示枠３９１〜３９４内の配置領域３５０（３５１〜３５４）に配置される（図４４参照）。
【０２９８】
また、サーバデバイス２０は、切替用コントロール３８０（３８１〜３８４）をも合成領域３６０内に配置する（図４４参照）。各切替用コントロール３８０（３８１〜３８４）は、画像形成デバイス３０からの補完情報に含まれる現在値情報に基づいて、各設定項目の現在の設定値（ここでは初期値）を示すように設定される。
【０２９９】
そして、各文字列情報に基づく文字画像を合成領域３００内の各配置領域３５１〜３５４に配置するとともに切替用コントロール３８１〜３８４をも合成領域３００内に配置した合成画面が、詳細設定画面４６０（図４４）として生成される。
【０３００】
このように、画像データが補完情報として取得される場合と文字列情報が補完情報として取得される場合とが、設定領域６００にて設定可能な設定項目に応じて（設定領域６００にて設定可能な設定項目が二者択一式設定項目であるか否かに応じて）切り替えられてもよい。
【０３０１】
なお、ここでは、設定領域６００において設定可能な設定項目が二者択一式設定項目であるか否かが画像形成デバイス３０にて判定され、その判定結果に応じて、抽出画像６５０の画像データと文字列情報とのいずれかが補完情報として画像形成デバイス３０から取得されているが、これに限定されない。たとえば、当該画像データと文字列情報とのいずれを補完情報として取得すべきかがサーバデバイス２０にて指定され、サーバデバイス２０にて指定された補完情報が画像形成デバイス３０から取得されてもよい。
【０３０２】
具体的には、詳細設定画面４００の表示用データには、抽出画像６５０の画像データと設定領域６００内の設定項目の文字列情報（項目名情報）とのいずれの送信要求を画像形成デバイス３０に送信すべきか、が画面作成者によって指定されている。たとえば、「ファイル形式」設定画面４２０（図１３）の表示用データでは、「ファイル形式」設定画面４２０に表示すべき設定項目「ファイル形式」が二者択一式設定項目でないことに基づいて、抽出画像６５０の画像データの送信要求を画像形成デバイス３０に送信すべき旨が画面作成者によって指定されている。また、「ＯＣＲ処理等」設定画面４６０（図４３）の表示用データでは、「ＯＣＲ処理等」設定画面４６０に表示すべき設定項目（「ＯＣＲ処理」等）が二者択一式設定項目でないことに基づいて、文字列情報の送信要求を画像形成デバイス３０に送信すべき旨が画面作成者によって指定されている。なお、画面作成者は各詳細設定画面４００に表示すべき設定項目を知得しているものの、各設定項目の項目名自体は詳細設定画面４００の表示用データにて画面作成者によって指定（入力）されていないものとする。
【０３０３】
そして、たとえば基本設定画面２２０（図８）において詳細設定ボタン２２６（「ファイル形式」）が押下された場合、サーバデバイス２０は、「ファイル形式」設定画面４２０（図１３）の表示用データに基づいて、抽出画像６５０の画像データ（補完情報）の送信要求を画像形成デバイス３０に送信する。画像形成デバイス３０は、当該画像データの送信要求に応答して、抽出画像６５０を生成し、当該抽出画像６５０の画像データを補完情報としてサーバデバイス２０に送信する（ステップＳ３２，Ｓ３３（図４５））。そして、サーバデバイス２０は、当該抽出画像６５０を合成領域３００に配置した合成画面を、詳細設定画面４００（４２０）（図１５）として生成する。
【０３０４】
一方、たとえば基本設定画面２２０において詳細設定ボタン２２８（「ＯＣＲ等」）が押下された場合、サーバデバイス２０は、「ＯＣＲ処理等」設定画面４６０（図４３）の表示用データに基づいて、文字列情報（補完情報）の送信要求を画像形成デバイス３０に送信する。画像形成デバイス３０は、文字列情報の送信要求に応答して、設定領域６００内の各設定項目を抽出するとともに、抽出した設定項目の文字列情報（項目名情報）を補完情報としてサーバデバイス２０に送信する（ステップＳ４２，Ｓ４３（図４５））。そして、サーバデバイス２０は、当該文字列情報に基づく文字画像と切替用コントロール３８０とを合成領域３００（３６０）内に配置した合成画面を、詳細設定画面４６０（図４４）として生成する。
【０３０５】
このように、画像データと文字列情報とのいずれを補完情報として取得すべきかがサーバデバイス２０にて指定され、サーバデバイス２０によって指定された補完情報が画像形成デバイス３０から取得されてもよい。
【符号の説明】
【０３０６】
１０  ＭＦＰ
２０  サーバデバイス
３０  画像形成デバイス
４０  操作表示部
５０  外部端末（情報処理装置）
２００  基本設定画面
３００  合成領域
４００  詳細設定画面
５００  旧来の設定画面群の設定画面
６００  設定領域（指定領域）
６５０  抽出画像
【図１】
2019014053.tif 000003
【図２】
2019014053.tif 000004
【図３】
2019014053.tif 000005
【図４】
2019014053.tif 000006
【図５】
2019014053.tif 000007
【図６】
2019014053.tif 000008
【図７】
2019014053.tif 000009
【図８】
2019014053.tif 000010
【図９】
2019014053.tif 000011
【図１０】
2019014053.tif 000012
【図１１】
2019014053.tif 000013
【図１２】
2019014053.tif 000014
【図１３】
2019014053.tif 000015
【図１４】
2019014053.tif 000016
【図１５】
2019014053.tif 000017
【図１６】
2019014053.tif 000018
【図１７】
2019014053.tif 000019
【図１８】
2019014053.tif 000020
【図１９】
2019014053.tif 000021
【図２０】
2019014053.tif 000022
【図２１】
2019014053.tif 000023
【図２２】
2019014053.tif 000024
【図２３】
2019014053.tif 000025
【図２４】
2019014053.tif 000026
【図２５】
2019014053.tif 000027
【図２６】
2019014053.tif 000028
【図２７】
2019014053.tif 000029
【図２８】
2019014053.tif 000030
【図２９】
2019014053.tif 000031
【図３０】
2019014053.tif 000032
【図３１】
2019014053.tif 000033
【図３２】
2019014053.tif 000034
【図３３】
2019014053.tif 000035
【図３４】
2019014053.tif 000036
【図３５】
2019014053.tif 000037
【図３６】
2019014053.tif 000038
【図３７】
2019014053.tif 000039
【図３８】
2019014053.tif 000040
【図３９】
2019014053.tif 000041
【図４０】
2019014053.tif 000042
【図４１】
2019014053.tif 000043
【図４２】
2019014053.tif 000044
【図４３】
2019014053.tif 000045
【図４４】
2019014053.tif 000046
【図４５】
2019014053.tif 000047